(57)【要約】  本発明は、ＰＤＣＰデータ回復の実行を通知する方法およびデバイスを開示し、ＰＤＣＰデータ回復プロセスを実行するようにＳＮに通知する。パケットデータ収束プロトコル（ＰＤＣＰ）データ回復の実行を通知する方法では、マスタノードは、前記マスタノードとセカンダリノード間のノード間シグナリングメッセージを前記セカンダリノードに送信して、前記セカンダリノードにＰＤＣＰデータ回復プロセスを実行するように通知し、前記ノード間シグナリングメッセージは、前記セカンダリノードにＰＤＣＰデータ回復プロセスを実行するように指示する。パケットデータ収束プロトコル（ＰＤＣＰ）データ回復を実行する方法では、セカンダリノードは、マスタノードによって送信されたノード間シグナリングメッセージを受信し、前記ノード間シグナリングメッセージは、前記セカンダリノードにＰＤＣＰデータ回復プロセスを実行するように指示し、前記セカンダリノードは、前記ノード間シグナリングメッセージに従って前記ＰＤＣＰデータ回復プロセスを実行する。
2021508983.tif 000002
【特許請求の範囲】
【請求項１】
マスタノードは、前記マスタノードとセカンダリノード間のノード間シグナリングメッセージを前記セカンダリノードに送信して、前記セカンダリノードにＰＤＣＰデータ回復プロセスを実行するように通知するステップを備え、
前記ノード間シグナリングメッセージは、前記セカンダリノードにＰＤＣＰデータ回復プロセスを実行するように指示することを特徴とするパケットデータ収束プロトコル（ＰＤＣＰ）データ回復の実行を通知する方法。
【請求項２】
マスタノードが、前記マスタノードとセカンダリノード間のノード間シグナリングメッセージを前記セカンダリノードに送信して、前記セカンダリノードにＰＤＣＰデータ回復プロセスを実行するように通知する前に、
前記マスタノードは、マスタノード内のプライマリセルハンドオーバー（ｉｎｔｒａ−ＭＮ ｈａｎｄｏｖｅｒ）プロセスまたは無線アクセスネットワークのセントラルユニット内のプライマリセルハンドオーバー（ｉｎｔｒａ−ＣＵ ｈａｎｄｏｖｅｒ）プロセスをトリガし、前記マスタノードは、セカンダリノードを維持し、セキュリティキーの更新なしで維持することを決定することを特徴とする請求項１に記載のパケットデータ収束プロトコル（ＰＤＣＰ）データ回復の実行を通知する方法。
【請求項３】
前記ノード間シグナリングメッセージは指示情報を運び、前記指示情報は、Ｘ２/Ｘｎ ＡＰメッセージのコーディングフォーマットでコーディングされるか、または、無線リソース制御（ＲＲＣ）メッセージのコーディングフォーマットでコーディングされ、前記指示情報は、前記セカンダリノードに前記ＰＤＣＰデータ回復プロセスを実行するように指示するために使用されることを特徴とする請求項１に記載のパケットデータ収束プロトコル（ＰＤＣＰ）データ回復の実行を通知する方法。
【請求項４】
前記マスタノードは、前記ノード間シグナリングメッセージの新しく定義された第１のフィールドにより指示情報を運び、前記指示情報は、前記セカンダリノードにＰＤＣＰデータ回復プロセスを実行するように指示するために使用され、前記第１のフィールドはオプション属性または必須属性フィールドであり、または、
前記マスタノードは、前記ノード間シグナリングメッセージの第２のフィールドを再利用することにより、前記指示情報を運び、前記第２のフィールは少なくとも２つのコーディング形式を含み、異なるコーディング形式は異なる情報を運ぶために使用され、前記少なくとも２つのコーディング形式の１つは指示情報を運ぶために使用されることを特徴とする請求項１に記載のパケットデータ収束プロトコル（ＰＤＣＰ）データ回復の実行を通知する方法。
【請求項５】
前記マスタノードおよび前記セカンダリノードがそれぞれマルチＲＡＴ二重接続ＭＲ−ＤＣシナリオでのマスタノードおよびセカンダリノードである場合、前記ノード間シグナリングメッセージは、前記マスタノードによって開始されたセカンダリノード修正プロセスにおけるセカンダリノード修正要求メッセージであることを特徴とする請求項４に記載のパケットデータ収束プロトコル（ＰＤＣＰ）データ回復の実行を通知する方法。
【請求項６】
前記第２のフィールドは、セキュリティキーを更新するように前記セカンダリノードに通知するためのＰＤＣＰ変更指示情報（ＰＤＣＰ ｃｈａｎｇｅ ｉｎｄｉｃａｔｉｏｎ）を再利用し、前記ＰＤＣＰ ｃｈａｎｇｅ ｉｎｄｉｃａｔｉｏｎは、前記セカンダリノードにＰＤＣＰデータ回復を実行するように指示するときのコーディング形式は、前記セカンダリノードにセキュリティキーをを更新するように指示するときのＰＤＣＰ変更指示のコーディング形式とは異なることを特徴とする請求項５に記載のパケットデータ収束プロトコル（ＰＤＣＰ）データ回復の実行を通知する方法。
【請求項７】
前記ノード間シグナリングメッセージは、同期再構成要求を含むメッセージであり、前記セカンダリノードは、前記同期再構成要求に従って前記ＰＤＣＰデータ回復プロセスを実行するかどうかを決定し、前記同期再構成要求が更新されたセキュリティキーを運ばない場合、または、セキュリティキーを更新するように前記セカンダリノードに指示する情報を運ばない場合、前記セカンダリノードは、前記ＰＤＣＰデータ回復プロセスを実行することを決定することを特徴とする請求項１に記載のパケットデータ収束プロトコル（ＰＤＣＰ）データ回復の実行を通知する方法。
【請求項８】
前記ノード間シグナリングメッセージは、前記ＰＤＣＰデータ回復プロセスに対応する下位層同期再構成プロセスを実行するように前記セカンダリノードに指示するためにさらに使用され、前記下位層同期再構成プロセスは、無線リンク制御ＲＬＣエンティティ再確立プロセス、メディアアクセス制御（ＭＡＣ）エンティティ再構成プロセスおよびランダムアクセスプロセスのうちの１つ及び複数を含むことを特徴とする請求項１に記載のパケットデータ収束プロトコル（ＰＤＣＰ）データ回復の実行を通知する方法。
【請求項９】
セカンダリノードは、マスタノードによって送信されたノード間シグナリングメッセージを受信し、前記ノード間シグナリングメッセージは、前記セカンダリノードにＰＤＣＰデータ回復プロセスを実行するように指示するステップと、
前記セカンダリノードは、前記ノード間シグナリングメッセージに従って前記ＰＤＣＰデータ回復プロセスを実行するステップとを備えることを特徴とするパケットデータ収束プロトコル（ＰＤＣＰ）データ回復を実行する方法。
【請求項１０】
前記ノード間シグナリングメッセージは、新しく定義された第１のフィールドにより指示情報を運び、前記指示情報は、前記セカンダリノードにＰＤＣＰデータ回復プロセスを実行するように指示するために使用され、前記第１のフィールドはオプション属性または必須属性フィールドであり、または、
前記ノード間シグナリングメッセージは、再利用された第２のフィールドにより前記指示情報を運び、前記第２のフィールは少なくとも２つのコーディング形式を含み、異なるコーディング形式は異なる情報を運ぶために使用され、前記少なくとも２つのコーディング形式の１つは指示情報を運ぶために使用されることを特徴とする請求項９に記載のパケットデータ収束プロトコル（ＰＤＣＰ）データ回復を実行する方法。
【請求項１１】
前記セカンダリノードは、前記ノード間シグナリングメッセージに従って前記ＰＤＣＰデータ回復プロセスを実行する前に、
前記セカンダリノードは、前記第１のフィールドに前記セカンダリノードに前記ＰＤＣＰデータ回復プロセスを実行するように指示するための有効な値があるかを決定し、または、
前記セカンダリノードは、前記第２のフィールドに前記セカンダリノードに前記ＰＤＣＰデータ回復プロセスを実行するように指示するための有効な値があるかを決定し、
決定結果が「はい」の場合、前記セカンダリノードは、前記ＰＤＣＰデータ回復プロセスを実行すると決定することを特徴とする請求項１０に記載のパケットデータ収束プロトコル（ＰＤＣＰ）データ回復を実行する方法。
【請求項１２】
前記第２のフィールドがセキュリティキーを更新するように前記セカンダリノードに通知するためのＰＤＣＰ ｃｈａｎｇｅ ｉｎｄｉｃａｔｉｏｎを再利用し、前記ＰＤＣＰ ｃｈａｎｇｅ ｉｎｄｉｃａｔｉｏｎは、前記セカンダリノードにＰＤＣＰデータ回復プロセスを実行するように指示するときのコーディング形式は、前記セカンダリノードにセキュリティキーを更新するように指示するときのコーディング形式とは異なる場合、
前記セカンダリノードは、前記ＰＤＣＰ ｃｈａｎｇｅ ｉｎｄｉｃａｔｉｏｎに前記セカンダリノードに前記ＰＤＣＰデータ回復プロセスを実行するように指示するための有効な値があると決定する場合、前記セカンダリノードは、前記ＰＤＣＰデータ回復プロセスを実行すると決定し、または、
前記セカンダリノードは、前記ＰＤＣＰ ｃｈａｎｇｅ ｉｎｄｉｃａｔｉｏｎに前記セカンダリノードにセキュリティキー更新プロセスを実行するように指示するための有効な値があると決定する場合、前記セカンダリノードは、前記セキュリティキー更新プロセスを実行することを決定することを特徴とする請求項１０または請求項１１に記載のパケットデータ収束プロトコル（ＰＤＣＰ）データ回復を実行する方法。
【請求項１３】
前記ノード間シグナリングメッセージは、同期再構成要求を含むメッセージであると、
前記セカンダリノードは、前記同期再構成要求に従って、前記ＰＤＣＰデータ回復プロセスを実行するかどうかを決定し、前記同期再構成要求が更新されたセキュリティキーを運ばない場合、または、セキュリティキーを更新するように前記セカンダリノードに指示する情報を運ばない場合、前記セカンダリノードは、前記ＰＤＣＰデータ回復プロセスを実行することを決定し、
決定結果が「はい」であれば、前記セカンダリノードは、前記ＰＤＣＰデータ回復プロセスを実行すると決定することを特徴とする請求項９に記載のパケットデータ収束プロトコル（ＰＤＣＰ）データ回復を実行する方法。
【請求項１４】
前記ノード間シグナリングメッセージは、前記ＰＤＣＰデータ回復プロセスを実行するに対応する下位層同期再構成プロセスを実行するように前記セカンダリノードに指示するためにさらに使用されると、
前記セカンダリノードは、前記ノード間シグナリングメッセージに従って前記下位層同期再構成プロセスを実行することを決定し、前記下位層同期再構成プロセスは、ＲＬＣエンティティ再確立プロセス、ＭＡＣエンティティ再構成プロセスおよびランダムアクセスプロセスのうちの１つまたは複数を含むことを特徴とする請求項９に記載のパケットデータ収束プロトコル（ＰＤＣＰ）データ回復を実行する方法。
【請求項１５】
前記基地局は、二重接続およびマルチ接続通信システムでのマスタノードであり、前記マスタノードは、
命令を格納するように構成されたメモリと、
前記メモリ内の命令を読み取って次のプロセスを実行するように構成されたプロセッサと、
前記プロセッサの制御下でデータを送信するように構成された送受信機と
を備え、
前記プロセッサは、送受信機を介して前記マスタノードとセカンダリノード間のノード間シグナリングメッセージを前記セカンダリノードに送信して、前記セカンダリノードにＰＤＣＰデータ回復プロセスを実行するように通知し、前記ノード間シグナリングメッセージは、前記セカンダリノードにＰＤＣＰデータ回復プロセスを実行するように指示することを特徴とする基地局。
【請求項１６】
前記プロセッサはさらに、送受信機を介して前記マスタノードとセカンダリノード間のノード間シグナリングメッセージを前記セカンダリノードに送信して、前記セカンダリノードにＰＤＣＰデータ回復プロセスを実行するように通知する前に、前記マスタノード内のプライマリセルハンドオーバー（ｉｎｔｒａ−ＭＮ ｈａｎｄｏｖｅｒ）プロセスまたは無線アクセスネットワークのセントラルユニット内のプライマリセルハンドオーバー（ｉｎｔｒａ−ＣＵ ｈａｎｄｏｖｅｒ）プロセスをトリガし、セカンダリノードを維持し、セキュリティキーの更新なしに決定することを特徴とする請求項１５に記載の基地局。
【請求項１７】
前記ノード間シグナリングメッセージは指示情報を運び、前記指示情報は、Ｘ２/Ｘｎ ＡＰメッセージのコーディングフォーマットでコーディングされるか、または、無線リソース制御（ＲＲＣ）メッセージのコーディングフォーマットでコーディングされ、前記指示情報は、前記セカンダリノードに前記ＰＤＣＰデータ回復プロセスを実行するように指示するために使用されることを特徴とする請求項１５に記載の基地局。
【請求項１８】
前記プロセッサはさらに、
前記ノード間シグナリングメッセージの新しく定義された第１のフィールドにより指示情報を運び、前記指示情報は、前記セカンダリノードにＰＤＣＰデータ回復プロセスを実行するように指示するために使用され、前記第１のフィールドはオプション属性または必須属性フィールドであり、または、
前記ノード間シグナリングメッセージの第２のフィールドを再利用することにより前記指示情報を運び、前記第２のフィールは少なくとも２つのコーディング形式を含み、異なるコーディング形式は異なる情報を運ぶために使用され、前記少なくとも２つのコーディング形式の１つは指示情報を運ぶために使用されることを特徴とする請求項１５に記載の基地局。
【請求項１９】
前記マスタノードおよび前記セカンダリノードがそれぞれＭＲ−ＤＣシナリオでのマスタノードおよびセカンダリノードである場合、前記ノード間シグナリングメッセージは、前記マスタノードによって開始されたセカンダリノード修正プロセスにおけるセカンダリノード修正要求メッセージであることを特徴とする請求項１８に記載の基地局。
【請求項２０】
前記第２のフィールドは、セキュリティキーを更新するように前記セカンダリノードに通知するためのＰＤＣＰ ｃｈａｎｇｅ ｉｎｄｉｃａｔｉｏｎを再利用し、前記ＰＤＣＰ ｃｈａｎｇｅ ｉｎｄｉｃａｔｉｏｎは、前記セカンダリノードにＰＤＣＰデータ回復を実行するように指示するときのコーディング形式は、前記セカンダリノードにセキュリティキーをを更新するように指示するときのＰＤＣＰ変更指示のコーディング形式とは異なることを特徴とする請求項１９に記載の基地局。
【請求項２１】
前記ノード間シグナリングメッセージは、同期再構成要求を含むメッセージであり、前記セカンダリノードは、前記同期再構成要求に従って前記ＰＤＣＰデータ回復プロセスを実行するかどうかを決定し、前記同期再構成要求が更新されたセキュリティキーを運ばない場合、または、セキュリティキーを更新するように前記セカンダリノードに指示する情報を運ばない場合、前記セカンダリノードは、前記ＰＤＣＰデータ回復プロセスを実行することを決定することを特徴とする請求項１５に記載の基地局。
【請求項２２】
前記ノード間シグナリングメッセージは、前記ＰＤＣＰデータ回復プロセスに対応する下位層同期再構成プロセスを実行するように前記セカンダリノードに指示するためにさらに使用され、前記下位層同期再構成プロセスは、ＲＬＣエンティティ再確立プロセス、ＭＡＣエンティティ再構成プロセスおよびランダムアクセスプロセスのうちの１つまたは複数を含むことを特徴とする請求項１５に記載の基地局。
【請求項２３】
前記基地局は、二重接続およびマルチ接続通信システムでのセカンダリノードであり、
前記セカンダリノードは、
命令を格納するように構成されたメモリと、
前記メモリ内の命令を読み取って次のプロセスを実行するように構成されたプロセッサと、
前記プロセッサの制御下でデータを受信するように構成された送受信機と
を備え、
前記プロセッサは、送受信機によりマスタノードによって送信されたノード間シグナリングメッセージを受信し、前記ノード間シグナリングメッセージは、前記セカンダリノードにＰＤＣＰデータ回復プロセスを実行するように指示し、
前記ノード間シグナリングメッセージに従って前記ＰＤＣＰデータ回復プロセスを実行することを特徴とする基地局。
【請求項２４】
前記ノード間シグナリングメッセージは、新しく定義された第１のフィールドにより指示情報を運び、前記指示情報は、前記セカンダリノードにＰＤＣＰデータ回復プロセスを実行するように指示するために使用され、前記第１のフィールドはオプション属性または必須属性フィールドであり、または、
前記ノード間シグナリングメッセージは、再利用された第２のフィールドにより前記指示情報を運び、前記第２のフィールは少なくとも２つのコーディング形式を含み、異なるコーディング形式は異なる情報を運ぶために使用され、前記少なくとも２つのコーディング形式の１つは指示情報を運ぶために使用されることを特徴とする請求項２３に記載の基地局。
【請求項２５】
前記プロセッサはさらに、
前記プロセッサが前記ノード間シグナリングメッセージに従って前記ＰＤＣＰデータ回復プロセスを実行する前に、前記第１のフィールドに前記セカンダリノードに前記ＰＤＣＰデータ回復プロセスを実行するように指示するための有効な値があるかを決定し、または、前記第２のフィールドに前記セカンダリノードに前記ＰＤＣＰデータ回復プロセスを実行するように指示するための有効な値があるかを決定し、
決定結果が「はい」の場合、前記ＰＤＣＰデータ回復プロセスを実行すると決定することを特徴とする請求項２４に記載の基地局。
【請求項２６】
前記第２のフィールドがセキュリティキーを更新するように前記セカンダリノードに通知するためのＰＤＣＰ ｃｈａｎｇｅ ｉｎｄｉｃａｔｉｏｎを再利用し、前記ＰＤＣＰ ｃｈａｎｇｅ ｉｎｄｉｃａｔｉｏｎは、前記セカンダリノードにＰＤＣＰデータ回復プロセスを実行するように指示するときのコーディング形式は、前記セカンダリノードにセキュリティキーを更新するように指示するときのコーディング形式とは異なる場合、前記プロセッサはさらに、
前記ＰＤＣＰ ｃｈａｎｇｅ ｉｎｄｉｃａｔｉｏｎに前記セカンダリノードに前記ＰＤＣＰデータ回復プロセスを実行するように指示するための有効な値があると決定された場合、前記ＰＤＣＰデータ回復プロセスを実行すると決定し、または、
前記ＰＤＣＰ ｃｈａｎｇｅ ｉｎｄｉｃａｔｉｏｎに前記セカンダリノードにセキュリティキー更新プロセスを実行するように指示するための有効な値があると決定された場合、前記セキュリティキー更新プロセスを実行すると決定することを特徴とする請求項２４または請求項２５に記載の基地局。
【請求項２７】
前記ノード間シグナリングメッセージは、同期再構成要求を含むメッセージであり、前記プロセッサはさらに、
前記同期再構成要求に従って、前記ＰＤＣＰデータ回復プロセスを実行するかどうかを決定し、前記同期再構成要求が更新されたセキュリティキーを運ばない場合、または、セキュリティキーを更新するように前記セカンダリノードに指示する情報を運ばない場合、前記プロセッサは、前記ＰＤＣＰデータ回復プロセスを実行すると決定し、
決定結果が「はい」であれば、前記ＰＤＣＰデータ回復プロセスを実行すると決定することを特徴とする請求項２３に記載の基地局。
【請求項２８】
前記ノード間シグナリングメッセージは、前記ＰＤＣＰデータ回復プロセスを実行するに対応する下位層同期再構成プロセスを実行するように前記セカンダリノードに指示するためにさらに使用され、前記プロセッサはさらに、
前記ノード間シグナリングメッセージに従って前記下位層同期再構成プロセスを実行することを決定し、前記下位層同期再構成プロセスは、ＲＬＣエンティティ再確立プロセス、ＭＡＣエンティティ再構成プロセスおよびランダムアクセスプロセスのうちの１つまたは複数を含むことを特徴とする請求項２３に記載の基地局。
【請求項２９】
基地局であって、
前記基地局は、二重接続およびマルチ接続通信システムでのマスタノードであり、
前記マスタノードとセカンダリノード間のノード間シグナリングメッセージを前記セカンダリノードに送信して、前記セカンダリノードにＰＤＣＰデータ回復プロセスを実行するように通知するように構成された送信ユニットを備え、
前記ノード間シグナリングメッセージは、前記セカンダリノードにＰＤＣＰデータ回復プロセスを実行するように指示することを特徴とする基地局。
【請求項３０】
基地局であって、
前記基地局は、二重接続およびマルチ接続通信システムでのセカンダリノードであり、
マスタノードによって送信されたノード間シグナリングメッセージを受信するように構成された受信ユニットと、
前記ノード間シグナリングメッセージに従って前記ＰＤＣＰデータ回復プロセスを実行するように構成された実行ユニットとを備え、
前記ノード間シグナリングメッセージは、前記セカンダリノードにＰＤＣＰデータ回復プロセスを実行するように指示することを特徴とする基地局。
【請求項３１】
コンピュータ上で実行されているときにコンピュータに請求項１〜１４のいずれか一項に記載の方法を実行させるコンピュータ命令を記憶するように構成されたコンピュータ可読記憶メディア。
【発明の詳細な説明】
【技術分野】
【０００１】
関連出願の相互参照
本出願は、２０１７年１２月２９日に中国特許局に提出し、出願番号が２０１７１１４７６８７３.Ｘであり、発明名称が「ＰＤＣＰデータ回復の実行を通知する方法およびデバイス」との中国特許出願を基礎とする優先権を主張し、その開示の総てをここに取り込む。
【０００２】
本発明は、通信技術分野に関し、特にＰＤＣＰデータ回復の実行を通知する方法およびデバイスに関する。
【背景技術】
【０００３】
現在、二重接続（Ｄｕａｌ Ｃｏｎｎｅｃｔｉｖｉｔｙ，ＤＣ）シナリオでは、ユーザ機器（Ｕｓｅｒ Ｅｑｕｉｐｍｅｎｔ，ＵＥ）は、それに通信サービスを提供する２つの無線アクセスネットワーク（Ｒａｄｉｏ Ａｃｃｅｓｓ Ｎｅｔｗｏｒｋ，ＲＡＮ）ノードに同時に接続することができ、１つのＲＡＮノードはマスタノード（Ｍａｓｔｅｒ Ｎｏｄｅ，ＭＮ）である。もう１つはセカンダリノード（Ｓｅｃｏｎｄａｒｙ Ｎｏｄｅ，ＳＮ）である。ここで、ＭＮは、ＭＮ側で無線構成情報を生成でき、ＳＮは、ＳＮ側で無線構成情報を生成でき、ＭＮおよびＳＮのそれぞれは、ＵＥにサービスを提供する複数のセル（Ｃｅｌｌ）を含み得、ここで、複数のセルのうちの１つがプライマリセル（Ｐｒｉｍａｒｙ Ｃｅｌｌ，ＰＣｅｌｌ）で、残りがセカンダリセル（Ｓｅｃｏｎｄａｒｙ Ｃｅｌｌ，ＳＣｅｌｌ）である。ＳＮがネットワーク側でＵＥにサービスを提供するように構成されている場合、ＭＮ（Ｉｎｔｒａ−ＭＮ）でのプライマリセルハンドオーバーが発生するか、無線アクセスネットワークのセントラルユニット（Ｃｅｎｔｒａｌ Ｕｎｉｔ，ＣＵ）でのプライマリセルハンドオーバー（ｉｎｔｒａ−ＣＵ ｈａｎｄｏｖｅｒ）のプロセスと同じである。ＭＮまたはＣＵが変更されていないため、パケットデータ収束プロトコル（Ｐａｃｋｅｔ Ｄａｔａ Ｃｏｎｖｅｒｇｅｎｃｅ Ｐｒｏｔｏｃｏｌ，ＰＤＣＰ）の位置は変更されていない。したがって、セキュリティキーが更新されない可能性がある。つまり、対応するＰＤＣＰ再確立プロセスを実行する必要はないが、ＭＮはＰＤＣＰデータ回復（ＰＤＣＰ ｄａｔａ ｒｅｃｏｖｅｒｙ）プロセスおよび対応する下位層同期再構成プロセスを実行する必要がある。二重接続シナリオでは、ＳＮはユーザにデータ送信プロセスも提供する。ＭＮとＳＮ間の同期を達成するために、ＳＮ側もＰＤＣＰデータ回復プロセスを実行する必要があるが、ＭＮ内（Ｉｎｔｒａ−ＭＮ）またはＣＵ内（ｉｎｔｒａ−ＣＵ）ハンドオーバーの場合、ＭＮノードはＰＤＣＰデータ回復プロセスが実行する必要であることを知っている可能性があるが、ＳＮはそれを認識できない。一方、このシナリオでは、現時点でＰＤＣＰデータ回復の実行のためにＳＮをトリガする解決策はまだ案出されていない。
【発明の概要】
【発明が解決しようとする課題】
【０００４】
本発明実施形態は、ＰＤＣＰデータ回復プロセスを実行するようにＳＮに通知するために、パケットデータ収束プロトコル（ＰＤＣＰ）データ回復の実行を通知する方法およびデバイスを提供する。
【課題を解決するための手段】
【０００５】
第１の態様では、パケットデータ収束プロトコル（ＰＤＣＰ）データ回復の実行を通知する方法が提供され、当該方法は、
マスタノードは、前記マスタノードとセカンダリノード間のノード間シグナリングメッセージを前記セカンダリノードに送信して、前記セカンダリノードにＰＤＣＰデータ回復プロセスを実行するように通知し、前記ノード間シグナリングメッセージは、前記セカンダリノードにＰＤＣＰデータ回復プロセスを実行するように指示する。
【０００６】
オプションとして、マスタノードが、前記マスタノードとセカンダリノード間のノード間シグナリングメッセージを前記セカンダリノードに送信して、前記セカンダリノードにＰＤＣＰデータ回復プロセスを実行するように通知する前に、前記方法では、さらに、
前記マスタノードは、マスタノード内のプライマリセルハンドオーバー（ｉｎｔｒａ−ＭＮ ｈａｎｄｏｖｅｒ）プロセスまたは無線アクセスネットワークのセントラルユニット内のプライマリセルハンドオーバー（ｉｎｔｒａ−ＣＵ ｈａｎｄｏｖｅｒ）プロセスをトリガし、前記マスタノードは、セカンダリノードを維持し、セキュリティキーの更新なしで維持することを決定する。
【０００７】
オプションとして、前記ノード間シグナリングメッセージは指示情報を運び、前記指示情報は、Ｘ２/Ｘｎ ＡＰメッセージのコーディングフォーマットでコーディングされるか、または、ＲＲＣメッセージのコーディングフォーマットでコーディングされ、前記指示情報は、前記セカンダリノードに前記ＰＤＣＰデータ回復プロセスを実行するように指示するために使用される。
【０００８】
オプションとして、前記方法ではさらに、
前記マスタノードは、前記ノード間シグナリングメッセージの新しく定義された第１のフィールドにより指示情報を運び、前記指示情報は、前記セカンダリノードにＰＤＣＰデータ回復プロセスを実行するように指示するために使用され、前記第１のフィールドはオプション属性または必須属性フィールドであり、または、
前記マスタノードは、前記ノード間シグナリングメッセージの第２のフィールドを再利用することにより、前記指示情報を運び、前記第２のフィールは少なくとも２つのコーディング形式を含み、異なるコーディング形式は異なる情報の運ぶに使用され、前記少なくとも２つのコーディング形式の１つは指示情報を運ぶために使用される。
【０００９】
オプションとして、前記マスタノードおよび前記セカンダリノードがそれぞれマルチＲＡＴ二重接続(Ｍｕｌｔｉ−ＲＡＴ Ｄｕａｌ Ｃｏｎｎｅｃｔｉｖｉｔｙ,ＭＲ−ＤＣ)シナリオでのマスタノードおよびセカンダリノードである場合、前記ノード間シグナリングメッセージは、前記マスタノードによって開始されたセカンダリノード修正プロセスにおけるセカンダリノード修正要求メッセージである。
【００１０】
オプションとして、前記第２のフィールドは、セキュリティキーを更新するように前記セカンダリノードに通知するためのＰＤＣＰ変更指示情報（ＰＤＣＰ ｃｈａｎｇｅ ｉｎｄｉｃａｔｉｏｎ）を再利用し、前記ＰＤＣＰ ｃｈａｎｇｅ ｉｎｄｉｃａｔｉｏｎは、前記セカンダリノードにＰＤＣＰデータ回復を実行するように指示するときのコーディング形式は、前記セカンダリノードにセキュリティキーを更新するように指示するときのＰＤＣＰ変更指示のコーディング形式とは異なる。
【００１１】
オプションとして、前記ノード間シグナリングメッセージは、同期再構成要求を含むメッセージであり、前記セカンダリノードは、前記同期再構成要求に従って前記ＰＤＣＰデータ回復プロセスを実行するかどうかを決定し、前記同期再構成要求が更新されたセキュリティキーを運ばない場合、または、セキュリティキーを更新するように前記セカンダリノードに指示する情報を運ばない場合、前記セカンダリノードは、前記ＰＤＣＰデータ回復プロセスを実行することを決定する。
【００１２】
オプションとして、前記ノード間シグナリングメッセージは、前記ＰＤＣＰデータ回復プロセスに対応する下位層同期再構成プロセスを実行するように前記セカンダリノードに指示するためにさらに使用され、前記下位層同期再構成プロセスは、無線リンク制御（ＲＬＣ）エンティティ再確立プロセス、メディアアクセス制御（ＭＡＣ）エンティティ再構成プロセスおよびランダムアクセスプロセスのうちの１つまたは複数を含む。
【００１３】
第２の態様では、パケットデータ収束プロトコル（ＰＤＣＰ）データ回復を実行する方法は、
セカンダリノードは、マスタノードによって送信されたノード間シグナリングメッセージを受信するステップと、
前記セカンダリノードは、前記ノード間シグナリングメッセージに従って前記ＰＤＣＰデータ回復プロセスを実行するステップとを備え、
前記ノード間シグナリングメッセージは、前記セカンダリノードにＰＤＣＰデータ回復プロセスを実行するように指示する。
【００１４】
オプションとして、前記ノード間シグナリングメッセージは、新しく定義された第１のフィールドにより指示情報を運び、前記指示情報は、前記セカンダリノードにＰＤＣＰデータ回復プロセスを実行するように指示するために使用され、前記第１のフィールドはオプション属性または必須属性フィールドであり、または、
前記ノード間シグナリングメッセージは、再利用された第２のフィールドにより前記指示情報を運び、前記第２のフィールは少なくとも２つのコーディング形式を含み、異なるコーディング形式は異なる情報を運ぶために使用され、前記少なくとも２つのコーディング形式の１つは指示情報を運ぶために使用される。
【００１５】
オプションとして、前記セカンダリノードは、前記ノード間シグナリングメッセージに従って前記ＰＤＣＰデータ回復プロセスを実行する前に、前記方法ではさらに、
前記セカンダリノードは、前記第１のフィールドに前記セカンダリノードに前記ＰＤＣＰデータ回復プロセスを実行するように指示するための有効な値があるかを決定し、または、
前記セカンダリノードは、前記第２のフィールドに前記セカンダリノードに前記ＰＤＣＰデータ回復プロセスを実行するように指示するための有効な値があるかを決定し、
決定結果が「はい」の場合、前記セカンダリノードは、前記ＰＤＣＰデータ回復プロセスを実行すると決定する。
【００１６】
オプションとして、前記第２のフィールドがセキュリティキーを更新するように前記セカンダリノードに通知するためのＰＤＣＰ ｃｈａｎｇｅ ｉｎｄｉｃａｔｉｏｎを再利用し、前記ＰＤＣＰ ｃｈａｎｇｅ ｉｎｄｉｃａｔｉｏｎは、前記セカンダリノードにＰＤＣＰデータ回復プロセスを実行するように指示するときのコーディング形式は、前記セカンダリノードにセキュリティキーを更新するように指示するときのコーディング形式とは異なる場合、前記方法ではさらに、
前記セカンダリノードは、前記ＰＤＣＰ ｃｈａｎｇｅ ｉｎｄｉｃａｔｉｏｎに前記セカンダリノードに前記ＰＤＣＰデータ回復プロセスを実行するように指示するための有効な値があると決定する場合、前記セカンダリノードは、前記ＰＤＣＰデータ回復プロセスを実行すると決定し、または、
前記セカンダリノードは、前記ＰＤＣＰ ｃｈａｎｇｅ ｉｎｄｉｃａｔｉｏｎに前記セカンダリノードにセキュリティキー更新プロセスを実行するように指示するための有効な値があると決定する場合、前記セカンダリノードは、前記セキュリティキー更新プロセスを実行することを決定する。
【００１７】
オプションとして、前記ノード間シグナリングメッセージは、同期再構成要求を含むメッセージであり、前記方法ではさらに、
前記セカンダリノードは、前記同期再構成要求に従って、前記ＰＤＣＰデータ回復プロセスを実行するかどうかを決定し、前記同期再構成要求が更新されたセキュリティキーを運ばない場合、または、セキュリティキーを更新するように前記セカンダリノードに指示する情報を運ばない場合、前記セカンダリノードは、前記ＰＤＣＰデータ回復プロセスを実行することを決定し、
決定結果が「はい」であれば、前記セカンダリノードは、前記ＰＤＣＰデータ回復プロセスを実行すると決定する。
【００１８】
オプションとして、前記ノード間シグナリングメッセージは、前記ＰＤＣＰデータ回復プロセスを実行するに対応する下位層同期再構成プロセスを実行するように前記セカンダリノードに指示するためにさらに使用され、前記方法ではさらに、
前記セカンダリノードは、前記ノード間シグナリングメッセージに従って前記下位層同期再構成プロセスを実行することを決定し、前記下位層同期再構成プロセスは、ＲＬＣエンティティ再確立プロセス、ＭＡＣエンティティ再構成プロセスおよびランダムアクセスプロセスのうちの１つまたは複数を含む。
【００１９】
第３の態様では、基地局が提供される。前記基地局は、二重接続およびマルチ接続通信システムでのマスタノードであり、
命令を格納するように構成されたメモリ；
前記メモリ内の命令を読み取って次のプロセスを実行するように構成されたプロセッサと、
前記プロセッサの制御下でデータを送信するように構成された送受信機とを備え、
前記プロセッサは、送受信機を介して前記マスタノードとセカンダリノード間のノード間シグナリングメッセージを前記セカンダリノードに送信して、前記セカンダリノードにＰＤＣＰデータ回復プロセスを実行するように通知し、前記ノード間シグナリングメッセージは、前記セカンダリノードにＰＤＣＰデータ回復プロセスを実行するように指示する。
【００２０】
オプションとして、前記プロセッサはさらに、送受信機を介して前記マスタノードとセカンダリノード間のノード間シグナリングメッセージを前記セカンダリノードに送信して、前記セカンダリノードにＰＤＣＰデータ回復プロセスを実行するように通知する前に、前記マスタノード内のプライマリセルハンドオーバー（ｉｎｔｒａ−ＭＮ ｈａｎｄｏｖｅｒ）プロセスまたは無線アクセスネットワークのセントラルユニット内のプライマリセルハンドオーバー（ｉｎｔｒａ−ＣＵ ｈａｎｄｏｖｅｒ）プロセスをトリガし、セカンダリノードを維持し、セキュリティキーの更新なしに決定する。
【００２１】
オプションとして、前記ノード間シグナリングメッセージは指示情報を運び、前記指示情報は、Ｘ２/Ｘｎ ＡＰメッセージのコーディングフォーマットでコーディングされるか、または、無線リソース制御（ＲＲＣ）メッセージのコーディングフォーマットでコーディングされ、前記指示情報は、前記セカンダリノードに前記ＰＤＣＰデータ回復プロセスを実行するように指示するために使用される。
【００２２】
オプションとして、前記プロセッサはさらに、
前記ノード間シグナリングメッセージの新しく定義された第１のフィールドにより指示情報を運び、前記指示情報は、前記セカンダリノードにＰＤＣＰデータ回復プロセスを実行するように指示するために使用され、前記第１のフィールドはオプション属性または必須属性フィールドであり、または、
前記ノード間シグナリングメッセージの第２のフィールドを再利用することにより前記指示情報を運び、前記第２のフィールは少なくとも２つのコーディング形式を含み、異なるコーディング形式は異なる情報を運ぶために使用され、前記少なくとも２つのコーディング形式の１つは指示情報を運ぶために使用される。
【００２３】
オプションとして、前記マスタノードおよび前記セカンダリノードがそれぞれＭＲ−ＤＣシナリオでのマスタノードおよびセカンダリノードである場合、前記ノード間シグナリングメッセージは、前記マスタノードによって開始されたセカンダリノード修正プロセスにおけるセカンダリノード修正要求メッセージである。
【００２４】
オプションとして、前記第２のフィールドは、セキュリティキーを更新するように前記セカンダリノードに通知するためのＰＤＣＰ ｃｈａｎｇｅ ｉｎｄｉｃａｔｉｏｎを再利用し、前記ＰＤＣＰ ｃｈａｎｇｅ ｉｎｄｉｃａｔｉｏｎは、前記セカンダリノードにＰＤＣＰデータ回復を実行するように指示するときのコーディング形式は、前記セカンダリノードにセキュリティキーを更新するように指示するときのＰＤＣＰ変更指示のコーディング形式とは異なる。
【００２５】
オプションとして、前記ノード間シグナリングメッセージは、同期再構成要求を含むメッセージであり、前記セカンダリノードは、前記同期再構成要求に従って前記ＰＤＣＰデータ回復プロセスを実行するかどうかを決定し、前記同期再構成要求が更新されたセキュリティキーを運ばない場合、または、セキュリティキーを更新するように前記セカンダリノードに指示する情報を運ばない場合、前記セカンダリノードは、前記ＰＤＣＰデータ回復プロセスを実行することを決定する。
【００２６】
オプションとして、前記ノード間シグナリングメッセージは、前記ＰＤＣＰデータ回復プロセスに対応する下位層同期再構成プロセスを実行するように前記セカンダリノードに指示するためにさらに使用され、前記下位層同期再構成プロセスは、ＲＬＣエンティティ再確立プロセス、ＭＡＣエンティティ再構成プロセスおよびランダムアクセスプロセスのうちの１つまたは複数を含む。
【００２７】
第４の態様では、基地局が提供される。前記基地局は、二重接続およびマルチ接続通信システムでのセカンダリノードであり、
命令を格納するように構成されたメモリと、
前記メモリ内の命令を読み取って次のプロセスを実行するように構成されたプロセッサと、
前記プロセッサの制御下でデータを受信するように構成された送受信機とを備え、
前記プロセッサは、送受信機によりマスタノードによって送信されたノード間シグナリングメッセージを受信し、前記ノード間シグナリングメッセージは、前記セカンダリノードにＰＤＣＰデータ回復プロセスを実行するように指示し、
前記ノード間シグナリングメッセージに従って前記ＰＤＣＰデータ回復プロセスを実行する。
【００２８】
オプションとして、前記ノード間シグナリングメッセージは、新しく定義された第１のフィールドにより指示情報を運び、前記指示情報は、前記セカンダリノードにＰＤＣＰデータ回復プロセスを実行するように指示するために使用され、前記第１のフィールドはオプション属性または必須属性フィールドであり、または、
前記ノード間シグナリングメッセージは、再利用された第２のフィールドにより前記指示情報を運び、前記第２のフィールは少なくとも２つのコーディング形式を含み、異なるコーディング形式は異なる情報を運ぶために使用され、前記少なくとも２つのコーディング形式の１つは指示情報を運ぶために使用される。
【００２９】
オプションとして、前記プロセッサはさらに、
前記プロセッサが前記ノード間シグナリングメッセージに従って前記ＰＤＣＰデータ回復プロセスを実行する前に、前記第１のフィールドに前記セカンダリノードに前記ＰＤＣＰデータ回復プロセスを実行するように指示するための有効な値があるかを決定し、または、前記第２のフィールドに前記セカンダリノードに前記ＰＤＣＰデータ回復プロセスを実行するように指示するための有効な値があるかを決定し、
決定結果が「はい」の場合、前記ＰＤＣＰデータ回復プロセスを実行すると決定する。
【００３０】
オプションとして、前記第２のフィールドがセキュリティキーを更新するように前記セカンダリノードに通知するためのＰＤＣＰ ｃｈａｎｇｅ ｉｎｄｉｃａｔｉｏｎを再利用し、前記ＰＤＣＰ ｃｈａｎｇｅ ｉｎｄｉｃａｔｉｏｎは、前記セカンダリノードにＰＤＣＰデータ回復プロセスを実行するように指示するときのコーディング形式は、前記セカンダリノードにセキュリティキーを更新するように指示するときのコーディング形式とは異なる場合、前記プロセッサはさらに、
前記ＰＤＣＰ ｃｈａｎｇｅ ｉｎｄｉｃａｔｉｏｎに前記セカンダリノードに前記ＰＤＣＰデータ回復プロセスを実行するように指示するための有効な値があると決定された場合、前記ＰＤＣＰデータ回復プロセスを実行すると決定し、または、
前記ＰＤＣＰ ｃｈａｎｇｅ ｉｎｄｉｃａｔｉｏｎに前記セカンダリノードにセキュリティキー更新プロセスを実行するように指示するための有効な値があると決定された場合、前記セキュリティキー更新プロセスを実行すると決定する。
【００３１】
オプションとして、前記ノード間シグナリングメッセージは、同期再構成要求を含むメッセージであり、前記プロセッサはさらに、
前記同期再構成要求に従って、前記ＰＤＣＰデータ回復プロセスを実行するかどうかを決定し、前記同期再構成要求が更新されたセキュリティキーを運ばない場合、または、セキュリティキーを更新するように前記セカンダリノードに指示する情報を運ばない場合、前記プロセッサは、前記ＰＤＣＰデータ回復プロセスを実行すると決定し、
決定結果が「はい」であれば、前記ＰＤＣＰデータ回復プロセスを実行すると決定する。
【００３２】
オプションとして、前記ノード間シグナリングメッセージは、前記ＰＤＣＰデータ回復プロセスを実行するに対応する下位層同期再構成プロセスを実行するように前記セカンダリノードに指示するためにさらに使用され、前記プロセッサはさらに、
前記ノード間シグナリングメッセージに従って前記下位層同期再構成プロセスを実行することを決定し、前記下位層同期再構成プロセスは、ＲＬＣエンティティ再確立プロセス、ＭＡＣエンティティ再構成プロセスおよびランダムアクセスプロセスのうちの１つまたは複数を含む。
【００３３】
第５の態様では、基地局が提供される。前記基地局は、二重接続およびマルチ接続通信システムでのマスタノードであり、前記マスタノードは、
前記マスタノードとセカンダリノード間のノード間シグナリングメッセージを前記セカンダリノードに送信して、前記セカンダリノードにＰＤＣＰデータ回復プロセスを実行するように通知するように構成された送信ユニットを備え、
前記ノード間シグナリングメッセージは、前記セカンダリノードにＰＤＣＰデータ回復プロセスを実行するように指示する。
【００３４】
オプションとして、前記マスタノードは、マスタノード内のプライマリセルハンドオーバー（ｉｎｔｒａ−ＭＮ ｈａｎｄｏｖｅｒ）プロセスまたは無線アクセスネットワークのセントラルユニット内のプライマリセルハンドオーバー（ｉｎｔｒａ−ＣＵ ｈａｎｄｏｖｅｒ）プロセスをトリガし、セカンダリノードを維持し、セキュリティキーの更新なしに決定するように構成された決定ユニットをさらに備える。
【００３５】
オプションとして、前記ノード間シグナリングメッセージは指示情報を運び、前記指示情報は、Ｘ２/Ｘｎ ＡＰメッセージのコーディングフォーマットでコーディングされるか、または、ＲＲＣメッセージのコーディングフォーマットでコーディングされ、前記指示情報は、前記セカンダリノードに前記ＰＤＣＰデータ回復プロセスを実行するように指示するために使用される。
【００３６】
オプションとして、前記マスタノードは、前記ノード間シグナリングメッセージの新しく定義された第１のフィールドにより指示情報を運び、前記指示情報は、前記セカンダリノードにＰＤＣＰデータ回復プロセスを実行するように指示するために使用され、前記第１のフィールドはオプション属性または必須属性フィールドであり、または、
前記マスタノードは、前記ノード間シグナリングメッセージの第２のフィールドを再利用することにより、前記指示情報を運び、前記第２のフィールは少なくとも２つのコーディング形式を含み、異なるコーディング形式は異なる情報を運ぶために使用され、前記少なくとも２つのコーディング形式の１つは指示情報を運ぶために使用される。
【００３７】
オプションとして、前記マスタノードおよび前記セカンダリノードがそれぞれＭＲ−ＤＣシナリオでのマスタノードおよびセカンダリノードである場合、前記ノード間シグナリングメッセージは、前記マスタノードによって開始されたセカンダリノード修正プロセスにおけるセカンダリノード修正要求メッセージである。
【００３８】
オプションとして、前記第２のフィールドは、セキュリティキーを更新するように前記セカンダリノードに通知するためのＰＤＣＰ ｃｈａｎｇｅ ｉｎｄｉｃａｔｉｏｎを再利用し、前記ＰＤＣＰ ｃｈａｎｇｅ ｉｎｄｉｃａｔｉｏｎは、前記セカンダリノードにＰＤＣＰデータ回復を実行するように指示するときのコーディング形式は、前記セカンダリノードにセキュリティキーを更新するように指示するときのＰＤＣＰ変更指示のコーディング形式とは異なる。
【００３９】
オプションとして、前記ノード間シグナリングメッセージは、同期再構成要求を含むメッセージであり、前記セカンダリノードは、前記同期再構成要求に従って前記ＰＤＣＰデータ回復プロセスを実行するかどうかを決定し、前記同期再構成要求が更新されたセキュリティキーを運ばない場合、または、セキュリティキーを更新するように前記セカンダリノードに指示する情報を運ばない場合、前記セカンダリノードは、前記ＰＤＣＰデータ回復プロセスを実行することを決定する。
【００４０】
オプションとして、前記ノード間シグナリングメッセージは、前記ＰＤＣＰデータ回復プロセスに対応する下位層同期再構成プロセスを実行するように前記セカンダリノードに指示するためにさらに使用され、前記下位層同期再構成プロセスは、ＲＬＣエンティティ再確立プロセス、ＭＡＣエンティティ再構成プロセスおよびランダムアクセスプロセスのうちの１つまたは複数を含む。
【００４１】
第６の態様では、基地局が提供される。前記基地局は、二重接続およびマルチ接続通信システムでのセカンダリノードであり、前記セカンダリノードは、
マスタノードによって送信されたノード間シグナリングメッセージを受信するように構成された受信ユニットと、
前記ノード間シグナリングメッセージに従って前記ＰＤＣＰデータ回復プロセスを実行するように構成された実行ユニットと、
を備え、
前記ノード間シグナリングメッセージは、前記セカンダリノードにＰＤＣＰデータ回復プロセスを実行するように指示する。
【００４２】
オプションとして、前記ノード間シグナリングメッセージは、新しく定義された第１のフィールドにより指示情報を運び、前記指示情報は、前記セカンダリノードにＰＤＣＰデータ回復プロセスを実行するように指示するために使用され、前記第１のフィールドはオプション属性または必須属性フィールドであり、または、
前記ノード間シグナリングメッセージは、再利用された第２のフィールドにより前記指示情報を運び、前記第２のフィールは少なくとも２つのコーディング形式を含み、異なるコーディング形式は異なる情報を運ぶために使用され、前記少なくとも２つのコーディング形式の１つは指示情報を運ぶために使用される。
【００４３】
オプションとして、前記セカンダリノードは、第２の決定ユニットをさらに備え、
前記決定ユニットは、前記第１のフィールドに前記セカンダリノードに前記ＰＤＣＰデータ回復プロセスを実行するように指示するための有効な値があるかを決定し、または、前記第２のフィールドに前記セカンダリノードに前記ＰＤＣＰデータ回復プロセスを実行するように指示するための有効な値があるかを決定し、
前記決定ユニットはさらに、決定結果が「はい」の場合、前記ＰＤＣＰデータ回復プロセスを実行すると決定する。
【００４４】
オプションとして、前記第２のフィールドがセキュリティキーを更新するように前記セカンダリノードに通知するためのＰＤＣＰ ｃｈａｎｇｅ ｉｎｄｉｃａｔｉｏｎを再利用し、前記ＰＤＣＰ ｃｈａｎｇｅ ｉｎｄｉｃａｔｉｏｎは、前記セカンダリノードにＰＤＣＰデータ回復プロセスを実行するように指示するときのコーディング形式は、前記セカンダリノードにセキュリティキーを更新するように指示するときのコーディング形式とは異なる場合、
前記決定ユニットはさらに、前記ＰＤＣＰ ｃｈａｎｇｅ ｉｎｄｉｃａｔｉｏｎに前記セカンダリノードに前記ＰＤＣＰデータ回復プロセスを実行するように指示するための有効な値があると決定された場合、前記ＰＤＣＰデータ回復プロセスを実行すると決定し、または、前記ＰＤＣＰ ｃｈａｎｇｅ ｉｎｄｉｃａｔｉｏｎに前記セカンダリノードにセキュリティキー更新プロセスを実行するように指示するための有効な値があると決定された場合、前記セキュリティキー更新プロセスを実行すると決定する。
【００４５】
オプションとして、前記ノード間シグナリングメッセージは、同期再構成要求を含むメッセージであると、前記セカンダリノードは、第３の決定ユニットをさらに備え、
前記第３の決定ユニットは、前記同期再構成要求に従って、前記ＰＤＣＰデータ回復プロセスを実行するかどうかを決定し、前記同期再構成要求が更新されたセキュリティキーを運ばない場合、または、セキュリティキーを更新するように前記セカンダリノードに指示する情報を運ばない場合、前記第３の決定ユニットは、前記ＰＤＣＰデータ回復プロセスを実行すると決定し、
前記第３の決定ユニットはさらに、決定結果が「はい」であれば、前記ＰＤＣＰデータ回復プロセスを実行すると決定する。
【００４６】
オプションとして、前記ノード間シグナリングメッセージは、前記ＰＤＣＰデータ回復プロセスを実行するに対応する下位層同期再構成プロセスを実行するように前記セカンダリノードに指示するためにさらに使用され、前記セカンダリノードは、第４の決定ユニットをさらに備え、
前記第４の決定ユニットは、前記ノード間シグナリングメッセージに従って前記下位層同期再構成プロセスを実行することを決定し、前記下位層同期再構成プロセスは、ＲＬＣエンティティ再確立プロセス、ＭＡＣエンティティ再構成プロセスおよびランダムアクセスプロセスのうちの１つまたは複数を含む。
【００４７】
第７の態様では、コンピュータ可読記憶メディアがさらに提供される。
【００４８】
コンピュータ可読記憶媒体は、コンピュータ上で実行されているときに、コンピュータに第１または第２の態様で説明した方法を実行させるコンピュータ命令を格納する。
【発明の効果】
【００４９】
本発明の実施形態では、ＭＮは、ＭＮとＳＮとの間のノード間シグナリングメッセージ（ｉｎｔｅｒ−ｎｏｄｅ ｍｅｓｓａｇｅ）を介して、ＰＤＣＰデータ回復プロセスを実行するようにＳＮに通知することができる。したがって、ＭＮがセキュリティキーを更新せずにＰＤＣＰデータ回復プロセスのみを実行する必要がある場合、ＭＮはノード間シグナリングメッセージを介してＳＮにも通知できるため、ＳＮはそれに応じてＰＤＣＰデータ回復プロセスを実行できる。ＳＮ側のリンク通信の中断とＳＮ側のデータ損失の導入を回避できるためユーザにサービスを提供するＭＮとＳＮのデータ送信を継続して実行でき、ユーザエクスペリエンスが向上する。
【図面の簡単な説明】
【００５０】
本発明に係る実施例や従来の技術解決策をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【００５１】
【図１】本発明実施形態によって提供される方法のフロー概略図である。
【図２】本発明実施形態によって提供されるマスタノードの構造概略図である。
【図３】本発明実施形態によって提供されるマスタノードの構造概略図である。
【図４】本発明実施形態によって提供されるセカンダリノードの構造概略図である。
【図５】本発明実施形態によって提供されるセカンダリノードの構造概略図である。
【発明を実施するための形態】
【００５２】
本発明の目的、技術的解決策、および利点をより明確にするために、本発明の実施形態における技術的解決策を、本発明の実施形態における添付の図面と組み合わせて、以下に明確かつ完全に説明する。
【００５３】
発明者は本発明を考案する際に以下のことに気づいた：現在、ＳＮがネットワーク側でＵＥにサービスを提供するように構成されているとき、ＭＮにおいて、ＭＮ内ハンドオーバーまたはＣＵ内ハンドオーバーが発生された場合、ＭＮまたはＣＵが変更されていないため、ＰＤＣＰ位置は変化していない。したがって、セキュリティキーは更新されない可能性がある。つまり、対応するＰＤＣＰ再確立プロセスを実行する必要はないが、この時点で、ＭＮはＰＤＣＰデータ回復プロセスと対応する下位層の同期再構成プロセスを実行する必要がある。二重接続シナリオでは、ＳＮはユーザにデータ送信プロセスも提供する。ＭＮとＳＮの間の同期を達成するために、ＳＮ側もＰＤＣＰデータ回復プロセスを実行する必要があるが、ＭＮ内またはＣＵ内ハンドオーバーの場合、ＭＮはＰＤＣＰデータ回復プロセスが実行されますが、ＳＮはそれを認識できない。このシナリオの場合、現時点では、ＳＮをトリガしてＰＤＣＰデータリカバリを実行する解決策はない。
【００５４】
これを考慮して、本発明の実施形態は、ＰＤＣＰデータ回復を実行するようにＳＮに通知する解決策を提供する。この解決策では、ＭＮは、ＭＮとＳＮとの間のノード間シグナリングを介してメッセージＰＤＣＰデータ回復プロセスを実行するようにＳＮに通知することができる。したがって、ＭＮがセキュリティキーを更新せずにＰＤＣＰデータ回復プロセスのみを実行する必要がある場合、ＭＮはノード間シグナリングメッセージを介してＳＮにも通知できるため、ＳＮはそれに応じてＰＤＣＰデータ回復プロセスを実行できる。ＳＮ側のリンク通信の中断とＳＮ側のデータ損失の導入を回避できるため、ユーザにサービスを提供するＭＮとＳＮのデータ送信を継続して実行でき、ユーザエクスペリエンスが向上する。
【００５５】
本発明の実施形態によって提供される技術的解決策を、図面を参照して以下に紹介する。
【００５６】
図１を参照すると、本発明の実施形態は、ＰＤＣＰデータ回復を実行するように二次ノード、ＳＮに通知する方法を提供する。この方法は、ＭＮで実行できる。ＭＮ内ハンドオーバーのシナリオを例にとると、この方法のフローは次のように説明され、ＳＮ側の方法の説明は以下のフローの説明にも含まれる。ここで、本発明の実施形態の方法は、デュアル接続およびマルチ接続通信システムにおいて、ＰＤＣＰデータ回復プロセスを実行するように他のネットワークノードに通知する必要があるシナリオに適用できることが述べられるべきである。たとえば、ＳＮまたは他の非ＳＮノードに通知して、ＰＤＣＰデータ回復プロセスを実行することができる。以下では、例として、ＭＮがＳＮにＰＤＣＰデータ回復プロセスを実行するよう通知する。
【００５７】
ステップ１０１：ＭＮは、ＭＮ内ハンドオーバープロセスをトリガし、セキュリティキーが更新される必要はないと決定する。
【００５８】
本発明の一実施形態では、ＭＮは、ＭＮ内ハンドオーバープロセスをトリガし、ＭＮのプライマリセルのみが変更され、ＭＮは変更されていないため、ＰＤＣＰの位置は変更されていない。したがって、セキュリティキーが更新されない可能性があり、ＰＤＣＰデータ回復プロセスと、ＰＤＣＰデータ回復プロセスに対応する下位層同期構成処理とを実行するだけでよい。ここで、ＰＤＣＰデータ回復プロセスは、ＭＮ内ハンドオーバープロセスによって中断されたユーザデータ送信を回復するため、ＭＮ内ハンドオーバー後に、送信されなかったユーザデータの継続性と整合性を保証できる。
【００５９】
具体的には、ＭＮがＭＮ内ハンドオーバープロセスを実行するとき、ユーザのために構成されたＳＮも維持され得る。したがって、ＭＮがＰＤＣＰデータ回復プロセスを実行する必要がある場合、それに応じて、ＳＮも、ＰＤＣＰデータ回復プロセスおよびＰＤＣＰデータ回復プロセスに対応する下位層同期再構成プロセスを実行する必要がある。
【００６０】
本発明の実装形態では、ＰＤＣＰデータ回復プロセスを実行するようＳＮに通知する必要があるシナリオに制限はない。すなわち、ＭＮがＭＮ内ハンドオーバープロセスをトリガし、ＳＮが変更されないままであるのは、考えられるシナリオにすぎず、ＰＤＣＰデータ回復プロセスを実行するようＳＮに通知する必要がある他の可能なシナリオでは、本発明の実施形態の方法も適用可能である。
【００６１】
ステップ１０２：ＭＮは、ＳＮにノード間シグナリングメッセージを送信し、ＳＮは、当該ノード間シグナリングメッセージを受信する。
【００６２】
本発明の一実施形態では、ＭＮは、ＭＮとＳＮとの間のノード間シグナリングメッセージを使用することができ、当該ノード間シグナリングメッセージは、ＰＤＣＰデータ回復プロセスを実行するようにＳＮに指示するために使用される。もちろん、ノード間シグナリングメッセージは、ＰＤＣＰデータ回復プロセスに対応する下位層同期再構成プロセスを実行するようにＳＮに指示するためにも使用できる。ここで、ノード間シグナリングメッセージは、明示的または暗黙的な方法でＰＤＣＰデータ回復プロセスを実行するようにＳＮに通知する。
【００６３】
本発明の実装形態では、明示的な方法は、ノード間シグナリングメッセージでＰＤＣＰデータ回復プロセスを実行するようにセカンダリノードに指示するための指示情報を直接に運ぶことである。ここで、指示情報は、Ｘ２/Ｘｎ ＡＰメッセージのコーディングフォーマットでコーディングすることができる。Ｘ２/Ｘｎは２つの基地局間のインターフェースであり、Ｘ２/Ｘｎ ＡＰメッセージはＸ２/Ｘｎ ＡＰプロトコルを使用してコーディングする。または、指示情報は、無線リソース制御（Ｒａｄｉｏ Ｒｅｓｏｕｒｃｅ Ｃｏｎｔｒｏｌ，ＲＲＣ）メッセージのコーディングフォーマットでコーディングする。
【００６４】
具体的には、ノード間シグナリングメッセージは、新しく定義された第１のフィールドを通じて指示情報を運ぶことができ、すなわち、第１のフィールドは、指示情報を運ぶために元のノード間シグナリングメッセージに追加され得る。ここで、新しく定義された第１のフィールドは、オプション属性または必須属性フィールドである。オプションの属性フィールドは、第１のフィールドが存在しないか、存在する可能性があり、指示情報を伝送する必要がない場合に有効な値とは異なる他の値を伝送することを意味する。必須の属性フィールドとは、指示情報が運ばれたときに第１のフィールドにＳＮにＰＤＣＰデータ回復プロセスを実行するように指示する有効な値があり、指示情報を伝送する必要がない場合に有効な値とは異なる他の値があることを意味する。
【００６５】
本発明の実施形態では、第１のフィールドのビット（ｂｉｔ）数は限定されず、例えば、第１のフィールドは、１ビットまたは２ビットであってよい。たとえば、第１のフィールドが１ビットの場合、０は、ＳＮがＰＤＣＰデータ回復プロセスを実行するように指示されていることを示す。したがって、第１のフィールドがオプションの属性フィールドである場合、第１のフィールドが存在して０である場合、ＳＮはＰＤＣＰデータ回復プロセスを実行する必要があることを示す。また、ＳＮは、第１のフィールドが存在しないか存在し、０でない場合、ＰＤＣＰデータ回復プロセスを実行する必要はない。第１のフィールドが必須属性フィールドであり、第１のフィールドが０の場合、ＳＮはＰＤＣＰデータ回復プロセスを実行する。第１のフィールドが０ではない別の値である場合、たとえば、別の値が１の場合、ＳＮはＰＤＣＰデータ回復プロセスを実行する必要はない。逆に、ＳＮにＰＤＣＰデータ回復プロセスを実行するように指示すために、１または別の値を規定することも可能である。ＰＤＣＰデータリカバリプロセスを実行するようにＳＮに指示すための０または１または別の値の使用に制限はない。
【００６６】
具体的には、ノード間シグナリングメッセージは、ノード間シグナリングメッセージ内の第２のフィールドを再利用することによって指示情報を運ぶことができ、第２のフィールドはノード間シグナリングメッセージ内の任意のフィールドであり、第２のフィールドは少なくとも２つのコーディング形式を含み、異なるコーディング形式が異なる情報を運ぶために使用されてもよく、少なくとも２つのコーディング形式のうちの１つが指示情報を運ぶために使用されてもよい。もちろん、第２のフィールドは、ノード間シグナリングメッセージのオプションの属性または必須の属性フィールドであってもよく、第２のフィールドに含まれるビット数は、本発明の実施形態では限定されない。再利用される第２のフィールドについては、特定のアプリケーションシナリオについて以下で説明する。
【００６７】
ＭＲ−ＤＣシナリオでは、ＭＮはＥ−Ｕｔｒａｎタイプの基地局または５Ｇ基地局であり得、ＳＮは５Ｇ基地局またはＥ−Ｕｔｒａｎタイプの基地局である。ＭＲ−ＤＣシナリオでは、ＭＮがＳＣＧ（Ｓｅｃｏｎｄａｒｙ Ｃｅｌｌ Ｇｒｏｕｐ）ベアラまたはマスターセルグループ（Ｍａｓｔｅｒ Ｃｅｌｌ Ｇｒｏｕｐ，ＭＣＧ）/ＳＣＧスプリット（ｓｐｌｉｔ）ベアラのセカンダリセルグループ（ＳＣＧ）部分を追加、変更、および解放すると、ＭＮはセカンダリノード変更要求（ＳｇＮＢ Ｍｏｄｉｆｉｃａｔｉｏｎ Ｒｅｕｑｅｓｔ）をＳＣＧ構成を更新するようにＳＮに通知するメッセージである。具体的には、ＳｇＮＢ修正要求メッセージは、ベアラコンテキスト情報、ＵＥコンテキスト情報、データ転送アドレス情報、およびＳＮによって更新される必要があるＳＣＧ構成情報を含み得る。そうである場合、ＭＮは、セキュリティキーを更新するようにＳＮに通知する必要がある。ＳｇＮＢ修正要求メッセージは、セキュリティキー更新プロセスを実行するようにＳＮに通知するために使用されるＰＤＣＰ変更指示（ＰＤＣＰ ｃｈａｎｇｅ ｉｎｄｉｃａｔｉｏｎ）をさらに含み得る。したがって、ＭＲ−ＤＣシナリオでは、第２のフィールドはＰＤＣＰ変更指示である可能性がある。特定のアプリケーションでは、ＳＮにＰＤＣＰデータリカバリの実行を指示するときのＰＤＣＰ変更指示のコーディング形式が、ＳＮにセキュリティキーの更新を指示するときのコーディング形式と異なることを確認する必要があるだけである。たとえば、ＰＤＣＰ変更の指示に１ビットが含まれている場合、０を使用してＳＮにセキュリティキー更新プロセスを実行するように指示し、１を使用してＳＮにＰＤＣＰデータ回復プロセスを実行するように指示すことが可能である。次に、ＳＮは、ＳｇＮＢ修正要求メッセージを受信した後、ＰＤＣＰ変更指示の特定の値に従って実行されるプロセスを判断することができる。逆に、ＳＮにセキュリティキーの更新処理の実行を示すために１を使用し、ＳＮにＰＤＣＰデータ回復プロセスの実行を示すために０を使用することを規定することもできる。もちろん、ＰＤＣＰ変更指示によって使用されるビット数は、本発明の実施形態に限定されない２ビットなどの他の値であってもよい。もちろん、ＰＤＣＰデータ回復プロセスをしめすために使用されるコーディングも制限されない。
【００６８】
暗黙の方法は以下に説明される。
【００６９】
本発明の実装形態では、暗黙の方法は次のとおりである可能性がある。ノード間シグナリングメッセージには、ＰＤＣＰデータ回復を実行するようにＳＮに直接指示す指示情報は含まれないが、ＳＮは、ノード間シグナリングメッセージを受信した後、ノード間シグナリングメッセージに含まれる内容に応じてＰＤＣＰデータ回復プロセスを実行するかどうかを判断できる。
【００７０】
具体的には、ノード間シグナリングメッセージは、同期再構成要求を含むメッセージであり得、ＭＮは、同期再構成要求で更新されたセキュリティキーを運ぶか、またはセキュリティキーを更新するようにＳＮに指示する情報を運び得る。したがって、ＳＮは、同期再構成要求に従ってセキュリティキー更新プロセスを実行することができる。それに応じて、ＭＮが同期再構成要求をＳＮに送信するが、同期再構成要求は、ＳＮにセキュリティキーを更新するように指示するいかなる情報も運ばない場合、例えば、更新されたセキュリティキーを運んでいないか、ＳＮにセキュリティキーを更新するように指示する情報を運んでいない場合、ＳＮは、そのような同期再構成を受信した後に同期再構成が必要であるがセキュリティキーを更新する必要がないことを知っている場合がある。したがって、ＰＤＣＰデータ回復プロセスのみを実行できる。つまり、ＰＤＣＰデータ回復プロセスを実行するかどうかは、他の可能性を除外して決定できる。
【００７１】
本発明の一実施形態では、ＰＤＣＰデータ回復プロセスを実行するようにＳＮに通知することに加えて、ノード間シグナリングメッセージをさらに使用して、ＳＮにＰＤＣＰデータ回復プロセスに対応する下位層同期再構成プロセスを実行するように指示することができる。したがって、ＳＮは、ノード間シグナリングメッセージに従ってＰＤＣＰデータ回復プロセスを実行することを決定するときに、下位層同期再構成プロセスを実行することをさらに決定することができる。ここで、下位層同期再構成プロセスは、１つまたは複数のＲＬＣエンティティ再確立プロセス、ＭＡＣエンティティリセットプロセス、およびランダムアクセスプロセス農地の１つまたは複数を含む。つまり下位層の同期再構成プロセスは、これら３つのプロセスのいずれか１つまたは任意の組み合わせである。
【００７２】
具体的には、ノード間シグナリングメッセージに含まれる指示情報を介して、ＳＮにＰＤＣＰデータ回復プロセスに対応する下位層同期再構成プロセスを実行するように指示すことが可能であり、またはＳＮにＰＤＣＰデータ回復プロセスに対応する下位層の同期再構成プロセスを暗黙的に実行するように指示すことも可能である。例えば、上述のように、ＭＮが同期再構成要求を含むメッセージをＳＮに送信するとき、ＭＮは更新されたセキュリティキーを運ばないか、またはセキュリティキーを更新するようにＳＮに指示する情報を運ばない。このように、ＳＮは、同期再構成要求に従って、ＰＤＣＰデータ回復プロセスを実行する必要があると判断でき、したがって、ＰＤＣＰデータ回復プロセスに対応する下位層同期再構成プロセスを実行する必要があると判断できる。
【００７３】
ステップ１０３：ＳＮは、ノード間シグナリングメッセージに従って、ＰＤＣＰデータ回復プロセスを実行するかどうかを決定する。
【００７４】
具体的には、ＭＮが新しく定義された第１のフィールドを通じて指示情報を運ぶ場合、ＳＮは、ノード間シグナリングメッセージを受信した後に、第１のフィールドが、ＰＤＣＰデータ回復プロセスを実行するようにＳＮに指示すための有効な値を有するかどうかを判断し得る。そうである場合、ＳＮは、ＰＤＣＰデータ回復プロセスおよびＰＤＣＰデータ回復プロセスに対応する下位層同期再構成プロセスを実行することを決定する。そうでない場合、ＳＮは、ＰＤＣＰデータ回復プロセスおよびＰＤＣＰデータ回復プロセスに対応する下位層同期再構成プロセスを実行する必要がないと判断する。たとえば、ＭＮはＳＮ修正プロセス（ＳＮ ｍｏｄｉｆｉｃａｔｉｏｎ）を開始してＭＣＧスプリット（ｓｐｌｉｔ）データ無線ベアラ（Ｄａｔａ Ｒａｄｉｏ Ｂｅａｒｅｒ，ＤＲＢ）を解放するため、ＭＮからＳＮに送信されるＳｇＮＢ修正要求（ＳｇＮＢ Ｍｏｄｉｆｉｃａｔｉｏｎ Ｒｅｕｑｅｓｔ）メッセージに第１のフィールドが含まれていないか、第１のフィールドにＰＤＣＰデータリカバリプロセスを実行するようにＳＮに指示す有効な値が含まれる。次に、ＳＮは、ＳｇＮＢ修正要求メッセージを受信した後、同期再構成プロセスなしで、ＭＮによって示されたＤＲＢを直接解放する。
【００７５】
具体的には、例えば、ＭＲ−ＤＣシナリオにおいて、ＭＮが再利用された第２のフィールドを通じて指示情報を運ぶ場合、第２のフィールドは、ＳｇＮＢ修正要求メッセージ内のＰＤＣＰ変更指示であり得る。次に、ＳＮは、ＳｇＮＢ修正要求メッセージを受信した後、ＰＤＣＰ変更指示の値が、ＳＮにＰＤＣＰデータ回復プロセスを実行するように指示すための有効な値であるか、ＳＮにセキュリティキー更新プロセスを実行するように指示すための有効な値であるかに基づいて、ＳＮが実行する必要があるアクションを決定する。ＰＤＣＰ変更指示の値が、ＰＤＣＰデータ回復プロセスを実行するようにＳＮに指示すための有効な値である場合、ＳＮは、ＰＤＣＰデータ回復プロセスおよびＰＤＣＰデータ回復プロセスに対応する下位層同期再構成プロセスを実行することを決定する。そして、ＰＤＣＰ変更指示の値が、ＳＮにセキュリティキー更新プロセスを実行するように指示すための有効な値である場合、ＳＮは、セキュリティキー更新プロセスを実行することを決定する。
【００７６】
具体的には、ＭＮによってＳＮに送信された同期再構成要求を含むメッセージが、更新されたセキュリティキーを運ばないか、またはＳＮにセキュリティキーを更新するように支持する情報を運ばない場合、ＳＮは、ＰＤＣＰデータ回復プロセスと、ＰＤＣＰデータ回復プロセスに対応する下位層の同期再構成プロセスを実行することを決定することができる。
【００７７】
ステップ１０４：決定結果が「はい」であれば、ＳＮは、ＰＤＣＰデータ回復プロセスおよびＰＤＣＰデータ回復プロセスに対応する下位層同期再構成プロセスを実行する。
【００７８】
ステップ１０５：ＳＮは応答メッセージをＭＮに送信し、ＭＮは応答メッセージを受信する。
【００７９】
ＳＮが、ＰＤＣＰデータ回復プロセスおよびＰＤＣＰデータ回復プロセスに対応する下位層同期再構成プロセスを実行した後、ＵＥはまた、ＳＮに対応する同期再構成プロセスを実行する必要があるので、ＳＮによって生成された応答メッセージは、ＵＥにＳＮ同期再構成を実行するように指示する情報を含み得、ＭＮは、ＵＥにＳＮ同期再構成を実行するように指示する情報をＵＥに転送する。
【００８０】
ステップ１０６：ＭＮは、ＲＲＣ同期再構成メッセージをＵＥに送信し、ＵＥは、ＲＲＣ同期再構成メッセージを受信する。
【００８１】
ＭＮがＳＮから応答メッセージを受信した後、ＭＮは、ＲＲＣ同期再構成メッセージをＵＥに送信することができ、ＲＲＣ同期再構成メッセージは、ＭＮ同期再構成情報およびＳＮ同期再構成情報を含み、セキュリティキーを更新するのではなく、ＰＤＣＰデータリカバリプロセスと対応する下位層の同期再構成プロセスを実行するようにＵＥに通知する。
【００８２】
要約すると、本発明の一実施形態では、ＭＮは、ＭＮとＳＮとの間のノード間シグナリングを介してメッセージＰＤＣＰデータ回復プロセスを実行するようにＳＮに通知することができる。したがって、ＭＮがセキュリティキーを更新せずにＰＤＣＰデータ回復プロセスのみを実行する必要がある場合、ＭＮはノード間シグナリングメッセージを介してＳＮにも通知できるため、ＳＮはそれに応じてＰＤＣＰデータ回復プロセスを実行できる。ＳＮ側のリンク通信の中断とＳＮ側のデータ損失の導入を回避できるため、ユーザにサービスを提供するＭＮとＳＮのデータ送信を継続して実行でき、ユーザエクスペリエンスが向上する。
【００８３】
本発明の実施形態では、プロセス全体の説明を容易にするために、図１に示されるプロセスは、ＭＮおよびＳＮによって実行される方法を混合することによって説明されるが、ＭＮとＳＮ両方は、対応する方法ステップを個別に実行できる。
【００８４】
図２を参照すると、同じ発明思想に基づいて、本発明の実施形態は、基地局をさらに提供する。前記基地局は、二重接続およびマルチ接続通信システムでのマスタノードであり、マスタノードは、メモリ２０１、プロセッサ２０２、およびト送受信機２０３を含み、メモリ２０１およびト送受信機２０３は、バスインターフェース（これを図２の例として取る）を介してプロセッサ２０２に接続することができ、または特別な接続線を介してプロセッサ２０２に接続されている。
【００８５】
ここで、メモリ２０１は、プログラムを格納するように構成されてもよい。プロセッサ２０２は、メモリ２０１内のプログラムを読み取って以下のプロセスを実行するように構成されてもよい：送受信機２０３を介してマスタノードとセカンダリノード間のノード間シグナリングメッセージをセカンダリノードに送信し、セカンダリノードにＰＤＣＰデータ回復プロセスを実行するように通知する。ここで、ノード間シグナリングメッセージは、セカンダリノードにＰＤＣＰデータ回復プロセスを実行するように指示すために使用される。送受信機２０３は、プロセッサ２０２の制御下でデータを送信するように構成された送受信機。
【００８６】
オプションとして、プロセッサ２０２は、さらに、送受信機２０３を介してマスタノードとセカンダリノード間のノード間シグナリングメッセージをセカンダリノードに送信し、セカンダリノードにＰＤＣＰデータ回復プロセスを実行するように通知する前に、マスタノード内のプライマリセルハンドオーバー（ｉｎｔｒａ−ＭＮ ｈａｎｄｏｖｅｒ）プロセスまたは無線アクセスネットワークのセントラルユニット内のプライマリセルハンドオーバー（ｉｎｔｒａ−ＣＵ ｈａｎｄｏｖｅｒ）プロセスをトリガして、セカンダリノードを維持し、セキュリティキーの更新なしに決定する。
【００８７】
オプションとして、ノード間シグナリングメッセージは指示情報を運び、指示情報は、Ｘ２/Ｘｎ ＡＰメッセージのコーディングフォーマットでコーディングされるか、または、無線リソース制御（ＲＲＣ）メッセージのコーディングフォーマットでコーディングされ、ここで、指示情報は、セカンダリノードにＰＤＣＰデータ回復プロセスを実行するように指示するために使用される。
【００８８】
オプションとして、プロセッサ２０２はさらに、以下のように構成される。
【００８９】
ノード間シグナリングメッセージの新しく定義された第１のフィールドを介して指示情報を伝送する。指示情報は、セカンダリノードにＰＤＣＰデータ回復プロセスを実行するように指示するために使用される。
【００９０】
ここで、第１のフィールドはオプション属性または必須属性フィールドである。
【００９１】
または、
ノード間シグナリングメッセージの第2のフィールドを再利用することにより、指示情報を伝送する。ここで、第２のフィールは少なくとも２つのコーディング形式を含み、異なるコーディング形式は異なる情報を運ぶために使用され、少なくとも２つのコーディング形式の１つコーディング形式は、指示情報を運ぶために使用される。
【００９２】
オプションとして、マスタノードおよびセカンダリノードがそれぞれＭＲ−ＤＣシナリオにおけるマスタノードおよびセカンダリノードである場合、ノード間シグナリングメッセージは、マスタノードによって開始されたセカンダリノード修正プロセスにおけるセカンダリノード修正要求メッセージである。
【００９３】
オプションとして、第２のフィールドは、セキュリティキーを更新するようセカンダリノードに通知するためにＰＤＣＰ変更指示を再利用する。ここで、ＳＮにＰＤＣＰデータ回復を実行するように指示するときのＰＤＣＰ変更指示のコーディング形式は、ＳＮにセキュリティキーを更新するように指示するときのコーディング形式とは異なる。
【００９４】
オプションとして、ノード間シグナリングメッセージは、同期再構成要求を含むメッセージであり、セカンダリノードは、同期再構成要求に従ってＰＤＣＰデータ回復プロセスを実行するかどうかを決定することができる。ここで、同期再構成要求が更新されたセキュリティキーまたはＳＮにセキュリティキーを更新するように指示する情報を含まない場合、ＳＮはＰＤＣＰデータ回復プロセスを実行することを決定できる。
【００９５】
オプションとして、ノード間シグナリングメッセージは、ＰＤＣＰデータ回復プロセスに対応する下位層同期再構成プロセスを実行するようＳＮに指示すためにさらに使用される。ここで、下位層同期再構成プロセスは、ＲＬＣエンティティ再確立プロセス、ＭＡＣエンティティリセットプロセス、およびランダムアクセスプロセスのうちの１つまたは複数を含む。
【００９６】
ここで、図２において、バスアーキテクチャは、任意の数の相互接続されたバスおよびブリッジを含み得、特に、プロセッサ２０２によって表される１つ以上のプロセッサの様々な回路およびメモリ２０１によって表されるメモリをリンクし得る。さらに、周辺装置、電圧調整器、電力管理回路などのさまざまな他の回路をリンクすることができ、これらはすべて当技術分野でよく知られており、したがって、本明細書では再度さらに説明しない。バスインターフェースはインターフェースを提供する。送受信機２０３は、複数の要素であり得る、すなわち、送信機および受信機を含み得、伝送媒体を介して他の様々なデバイスと通信するためのユニットを提供する。プロセッサ２０２は、バスアーキテクチャおよび一般的な処理を管理する責任があり、メモリ２０１は、プロセッサ２０２によって使用されるデータを格納することができる。
【００９７】
図３を参照すると、同じ発明思想に基づいて、本発明の実施形態において基地局が提供される。前記基地局は、二重接続およびマルチ接続通信システムでのマスタノードであり、当該デバイスは、マスタノードとセカンダリノード間のノード間シグナリングメッセージをセカンダリノードに送信するように構成された送信ユニット３０１を備える。セカンダリノードにＰＤＣＰデータ回復プロセスを実行するように通知する。
【００９８】
ここで、ノード間シグナリングメッセージは、セカンダリノードにＰＤＣＰデータ回復プロセスを実行するように指示すために使用される。
【００９９】
オプションとして、マスタノードは、決定ユニット３０２をさらに備える。
【０１００】
決定ユニット３０２は、マスタノード内のプライマリセルハンドオーバー（ｉｎｔｒａ−ＭＮ ｈａｎｄｏｖｅｒ）プロセスまたは無線アクセスネットワークのセントラルユニット内のプライマリセルハンドオーバー（ｉｎｔｒａ−ＣＵ ｈａｎｄｏｖｅｒ）プロセスをトリガし、セカンダリノードを維持し、セキュリティキーの更新なしに決定する。
【０１０１】
オプションとして、ノード間シグナリングメッセージは指示情報を運び、指示情報は、Ｘ２/Ｘｎ ＡＰメッセージのコーディングフォーマットでコーディングされるか、または、ＲＲＣメッセージのコーディングフォーマットでコーディングされ、ここで、指示情報は、セカンダリノードにＰＤＣＰデータ回復プロセスを実行するように指示するために使用される。
【０１０２】
オプションとして、マスタノードノード間シグナリングメッセージの新しく定義された第１のフィールドを介して指示情報を伝送する。指示情報は、セカンダリノードにＰＤＣＰデータ回復プロセスを実行するように指示するために使用される。ここで、第１のフィールドはオプション属性または必須属性フィールドであり、または、
マスタノードノード間シグナリングメッセージの第２のフィールドを再利用することにより、指示情報を伝送する。ここで、第２のフィールは少なくとも２つのコーディング形式を含み、異なるコーディング形式は異なる情報を運ぶために使用され、少なくとも２つのコーディング形式の１つコーディング形式は、指示情報を運ぶために使用される。
【０１０３】
オプションとして、マスタノードおよびセカンダリノードがそれぞれＭＲ−ＤＣシナリオにおけるマスタノードおよびセカンダリノードである場合、ノード間シグナリングメッセージは、マスタノードによって開始されたセカンダリノード修正プロセスにおけるセカンダリノード修正要求メッセージである。
【０１０４】
オプションとして、第２のフィールドは、セキュリティキーを更新するようにＳＮに通知するために、ＰＤＣＰ変更指示を再利用する。ここで、ＳＮにＰＤＣＰデータ回復を実行するように指示するときのＰＤＣＰ変更指示のコーディング形式は、ＳＮにセキュリティキーを更新するように指示するときのコーディング形式とは異なる。
【０１０５】
オプションとして、ノード間シグナリングメッセージは、同期再構成要求を含むメッセージであり、セカンダリノードは、同期再構成要求に従ってＰＤＣＰデータ回復プロセスを実行するかどうかを決定することができる。ここで、同期再構成要求が更新されたセキュリティキーまたはＳＮにセキュリティキーを更新するように指示する情報を含まない場合、ＳＮはＰＤＣＰデータ回復プロセスを実行することを決定できる。
【０１０６】
オプションとして、ノード間シグナリングメッセージは、ＰＤＣＰデータ回復プロセスに対応する下位層同期再構成プロセスを実行するようにＳＮに指示すためにさらに使用される。ここで、下位層同期再構成プロセスは、ＲＬＣエンティティ再確立プロセス、ＭＡＣエンティティ再構成プロセスおよびランダムアクセスプロセスのうちの１つまたは複数を含む。
【０１０７】
このデバイスは、図１に示される実施形態によって提供される方法を実行するために使用され得るので、デバイスの機能モジュールによって実装され得る機能は、図１に示される実施形態の説明を参照し得る。第１の決定ユニット３０２も図２に示されているが、繰り返されないが、第１の決定ユニット３０２は必須の機能モジュールではないので、図２では破線で示されていることを理解されたい。
【０１０８】
図４を参照すると、同じ発明思想に基づいて、本発明の実施形態において、基地局が提供される。前記基地局は、二重接続およびマルチ接続通信システムでのセカンダリノードであり、セカンダリノードは、メモリ４０１、プロセッサ４０２、およびト送受信機４０３を含み、ここで、メモリ４０１およびト送受信機４０３は、バスインターフェース（これを図４の例として取る）を介してプロセッサ４０２に接続することができ、または、特別な接続線を介してプロセッサ４０２に接続される。
【０１０９】
ここで、メモリ４０１は、プログラムを格納するように構成されてもよい。送受信機４０３は、マスタノードによって送信されたノード間シグナリングメッセージを受信するように構成される。プロセッサ４０２は、メモリ４０１内の命令を読み取って次のプロセスを実行するように構成される。プロセッサは、ノード間シグナリングメッセージに従って、ＰＤＣＰデータ回復プロセスを実行する。ここで、ノード間シグナリングメッセージは、セカンダリノードにＰＤＣＰデータ回復プロセスを実行するように指示すために使用される。
【０１１０】
オプションとして、ノード間シグナリングメッセージは、新しく定義された第１のフィールドにより指示情報を運び、指示情報は、セカンダリノードにＰＤＣＰデータ回復プロセスを実行するように指示するために使用される。ここで、第１のフィールドはオプション属性または必須属性フィールドであり、または、
ノード間シグナリングメッセージは、再利用された第２フィールドを介して指示情報を伝送する。ここで、第２のフィールは少なくとも２つのコーディング形式を含み、異なるコーディング形式は異なる情報を運ぶために使用され、少なくとも２つのコーディング形式の１つコーディング形式は、指示情報を運ぶために使用される。
【０１１１】
オプションとして、プロセッサ４０２はさらに、以下のように構成される。
【０１１２】
プロセッサ４０２がノード間シグナリングメッセージに従ってＰＤＣＰデータ回復プロセスを実行する前に、第１のフィールドに、ＳＮにＰＤＣＰデータ回復プロセスを実行するように指示すための有効な値があるかどうかを判断する。または、ＰＤＣＰデータ回復プロセスを実行するようにＳＮに指示すための有効な値が第２のフィールドにあるかどうかを判断する。
【０１１３】
決定結果が「はい」の場合、ＰＤＣＰデータリカバリプロセスを実行すると決定する。
【０１１４】
オプションとして、第２のフィールドが、セキュリティキーを更新するようにＳＮに通知するためにＰＤＣＰ変更指示を再利用する場合、ＰＤＣＰデータ回復を実行するようにＳＮに指示するときのＰＤＣＰ変更指示のコーディング形式は、ＳＮにセキュリティキーを更新するように指示する場合のコーディング形式とは異なると、プロセッサ４０２はさらに以下のように構成される。
【０１１５】
ＰＤＣＰ変更指示が、ＳＮにＰＤＣＰデータ回復プロセスを実行するように命令するための有効な値を有すると決定された場合、ＰＤＣＰデータリカバリプロセスを実行すると決定する。または、
ＰＤＣＰ変更指示がＳＮにセキュリティキー更新プロセスを実行するように命令するための有効な値を有すると決定された場合、セキュリティキー更新プロセスを実行すると決定する。
【０１１６】
オプションとして、ノード間シグナリングメッセージは、同期再構成要求を含むメッセージであり、プロセッサ４０２はさらに、以下のように構成される。
【０１１７】
同期再構成要求に従ってＰＤＣＰデータ回復プロセスを実行するかどうかを決定する。ここで、同期再構成要求が更新されたセキュリティキーまたはＳＮにセキュリティキーを更新するように指示す情報を運ばない場合、プロセッサ４０２は、ＰＤＣＰデータ回復プロセスを実行することを決定することができる。
【０１１８】
決定結果が「はい」であれば、ＰＤＣＰデータ回復プロセスを実行すると決定する。
【０１１９】
オプションとして、ノード間シグナリングメッセージは、ＰＤＣＰデータ回復プロセスに対応する下位層同期再構成プロセスを実行するようにＳＮに指示すためにさらに使用され、その後、プロセッサ４０２はさらに以下のように構成される。
【０１２０】
ノード間シグナリングメッセージに従って、下位層の同期再構成プロセスを実行することを決定する。ここで、下位層同期再構成プロセスは、ＲＬＣエンティティ再確立プロセス、ＭＡＣエンティティ再構成プロセスおよびランダムアクセスプロセスのうちの１つまたは複数を含む。
【０１２１】
ここで、図４において、バスアーキテクチャは、任意の数の相互接続されたバスおよびブリッジを含み得、特に、プロセッサ４０２によって表される１つ以上のプロセッサの様々な回路およびメモリ４０１によって表されるメモリをリンクし得る。さらに、周辺装置、電圧調整器、電力管理回路などのさまざまな他の回路をリンクすることができ、これらはすべて当技術分野でよく知られており、したがって、本明細書では再度さらに説明しない。バスインターフェースはインターフェースを提供する。送受信機４０３は、複数の要素であり得る、すなわち、送信機および受信機を含み得、伝送媒体を介して他の様々なデバイスと通信するためのユニットを提供する。プロセッサ４０２は、バスアーキテクチャおよび一般的な処理を管理する責任があり、メモリ４０１は、プロセッサ４０２によって使用されるデータを格納することができる。
【０１２２】
図５を参照すると、同じ発明思想に基づいて、本発明の実施形態において基地局が提供される。前記基地局は、二重接続およびマルチ接続通信システムでのセカンダリノードであり、セカンダリノードは、
マスタノードによって送信されたノード間シグナリングメッセージを受信するように構成された受信ユニット５０１と、
ノード間シグナリングメッセージに従ってＰＤＣＰデータ回復プロセスを実行するように構成された実行ユニット５０２とを備える。
【０１２３】
ここで、ノード間シグナリングメッセージは、セカンダリノードにＰＤＣＰデータ回復プロセスを実行するように指示すために使用される。
【０１２４】
オプションとして、ノード間シグナリングメッセージは、新しく定義された第１のフィールドにより指示情報を運び、指示情報は、セカンダリノードにＰＤＣＰデータ回復プロセスを実行するように指示するために使用される。ここで、第１のフィールドはオプション属性または必須属性フィールドであり、または、
ノード間シグナリングメッセージは、再利用された第２のフィールドにより指示情報を運び、ここで、第２のフィールは少なくとも２つのコーディング形式を含み、異なるコーディング形式は異なる情報を運ぶために使用され、少なくとも２つのコーディング形式の１つコーディング形式は、指示情報を運ぶために使用される。
【０１２５】
オプションとして、セカンダリノードは、第２の決定ユニット５０３をさらに備える。
【０１２６】
決定ユニットは、第１のフィールドに、ＳＮにＰＤＣＰデータ回復プロセスを実行するように指示すための有効な値があるかどうかを判断する。または、ＰＤＣＰデータ回復プロセスを実行するようにＳＮに指示すための有効な値が第２のフィールドにあるかどうかを判断する。
【０１２７】
決定ユニットはさらに、決定結果が「はい」の場合、ＰＤＣＰデータリカバリプロセスを実行すると決定する。
【０１２８】
オプションとして、第２のフィールドが、セキュリティキーを更新するようにＳＮに通知するためにＰＤＣＰ変更指示を再利用する場合、ＰＤＣＰデータ回復を実行するようにＳＮに指示するときのＰＤＣＰ変更指示のコーディング形式は、セキュリティキーを更新するようにＳＮに指示するときのコーディング形式とは異なる。
【０１２９】
決定ユニットはさらに、ＰＤＣＰ変更指示が、ＳＮにＰＤＣＰデータ回復プロセスを実行するように命令するための有効な値を有すると決定された場合、ＰＤＣＰデータリカバリプロセスを実行すると決定し、または、ＰＤＣＰ変更指示がＳＮにセキュリティキー更新プロセスを実行するように命令するための有効な値を有すると決定された場合、セキュリティキー更新プロセスを実行すると決定する。
【０１３０】
オプションとして、ノード間シグナリングメッセージは、同期再構成要求を含むメッセージであり、セカンダリノードは、第３の決定ユニット５０４をさらに備える。
【０１３１】
第３の決定ユニット５０４は、同期再構成要求に従ってＰＤＣＰデータ回復プロセスを実行するかどうかを決定するように構成される。同期再構成要求が更新されたセキュリティキーまたはＳＮにセキュリティキーを更新するように指示す情報を運ばない場合、第３の決定ユニット５０４は、ＰＤＣＰデータ回復プロセスを実行することを決定することができる。
【０１３２】
第３の決定ユニット５０４はさらに、決定結果が「はい」であれば、ＰＤＣＰデータ回復プロセスを実行すると決定する。
【０１３３】
オプションとして、ノード間シグナリングメッセージは、ＰＤＣＰデータ回復プロセスに対応する下位層同期再構成プロセスを実行するようにＳＮに指示すためにさらに使用され、セカンダリノードは、第４の決定ユニット５０５をさらに備える。
【０１３４】
第４の決定ユニット５０５は、ノード間シグナリングメッセージに従って下位層同期再構成プロセスを実行することを決定するように構成される。ここで、下位層同期再構成プロセスは、ＲＬＣエンティティ再確立プロセス、ＭＡＣエンティティ再構成プロセスおよびランダムアクセスプロセスのうちの１つまたは複数を含む。
【０１３５】
このデバイスは、図１に示される実施形態によって提供される方法を実行するために使用され得るので、デバイスの機能モジュールによって実装され得る機能は、図１に示される実施形態の説明を参照し得る。図５には、第２の決定ユニット５０３から第４の決定ユニット５０５も示されているが、繰り返されないが、第２の決定ユニット５０３から第４の決定ユニット５０５は必須の機能モジュールではないので、それらは、図５では破線で示されている。
【０１３６】
同じ発明思想に基づいて、本発明実施形態は、コンピュータ上で実行するときにコンピュータに図１に示す方法を実行させるコンピュータ命令を記憶するコンピュータ可読記憶媒体を提供する。
【０１３７】
特定の実施プロセスにおいて、コンピュータ可読記憶媒体は、ユニバーサルシリアルバス（Ｕｎｉｖｅｒｓａｌ Ｓｅｒｉａｌ Ｂｕｓ ｆｌａｓｈ ｄｒｉｖｅ，ＵＳＢ）フラッシュドライブ、モバイルハードディスク、読み取り専用メモリ（Ｒｅａｄ−Ｏｎｌｙ Ｍｅｍｏｒｙ，ＲＯＭ）、ランダムアクセスメモリ（Ｒａｎｄｏｍ Ａｃｃｅｓｓ Ｍｅｍｏｒｙ，ＲＡＭ）、磁気ディスクまたはプログラムコードを格納できるさまざまな記憶媒体を含む。
【０１３８】
本発明の実施形態では、開示されたデバイスおよび方法は、他の方法で実装されてもよいことが理解されるべきである。例えば、上述の装置の実施形態は単なる概略であり、例えば、ユニットまたはユニットの分割は、単に論理的な機能の分割である。実際の実装では、他の分割方式が存在する可能性がある。たとえば、複数のユニットまたはコンポーネントを組み合わせたり、別のシステムに統合したり、一部の機能を無視したり、実行しないことができる。さらに、表示または議論された相互結合または直接結合または通信接続は、いくつかのインターフェース、デバイスまたはユニット間の間接結合または通信接続を介して実装され得、電気的または他の形態であり得る。
【０１３９】
本発明の実施形態では、様々な機能ユニットを１つの処理ユニットに統合することができ、または様々なユニットを独立した物理モジュールにすることもできる。
【０１４０】
統合されたユニットがソフトウェア機能ユニットの形で実装され、独立した製品として販売または使用される場合、それは、コンピュータ可読記憶媒体に格納されてもよい。そのような理解に基づいて、本発明の実施形態の技術的解決策のすべてまたは一部は、ソフトウェア製品の形で具現化され得る。コンピュータソフトウェア製品は、記憶媒体に格納され、コンピュータデバイス（たとえば、パーソナルコンピュータ、サーバ、ネットワークデバイスなどであり得る）またはプロセッサがすべてまたはいくつかを実行することを可能にするために使用されるいくつかの命令を含む。本発明の様々な実施形態の方法のステップ。上記の記憶媒体には、ユニバーサルシリアルバスフラッシュドライブ（ｕｎｉｖｅｒｓａｌ ｓｅｒｉａｌ ｂｕｓ ｆｌａｓｈ ｄｒｉｖｅ）、モバイルハードディスク、ＲＯＭ、ＲＡＭ、磁気ディスク、コンパクトディスク、またはプログラムコードを格納できる様々な媒体が含まれる。
【０１４１】
上記のように、上記の実施形態は、本出願の技術的解決策を詳細に紹介するためにのみ使用されるが、上記の実施形態の説明は、本発明の実施形態の方法を理解するのを助けるためにのみ使用され、本発明の実施形態に対する制限として解釈されるべきである。当業者が容易に考えることができるすべての変更または置換は、本発明の保護範囲内に含まれるべきである。
【符号の説明】
【０１４２】
201  メモリ
202  プロセッサ
203  送受信機
301  送信ユニット
302  決定ユニット
401  メモリ
402  プロセッサ
403  送受信機
501  受信ユニット
502  実行ユニット
503  第２の決定ユニット
504  第３の決定ユニット
505  第４の決定ユニット
【図１】
2021508983.tif 000003
【図２】
2021508983.tif 000004
【図３】
2021508983.tif 000005
【図４】
2021508983.tif 000006
【図５】
2021508983.tif 000007
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
マスタノードは、前記マスタノードとセカンダリノード間のノード間シグナリングメッセージを前記セカンダリノードに送信して、前記セカンダリノードにＰＤＣＰデータ回復プロセスを実行するように通知するステップを備え、
前記ノード間シグナリングメッセージは、前記セカンダリノードにＰＤＣＰデータ回復プロセスを実行するように指示することを特徴とするパケットデータ収束プロトコル（ＰＤＣＰ）データ回復の実行を通知する方法。
【請求項２】
マスタノードが、前記マスタノードとセカンダリノード間のノード間シグナリングメッセージを前記セカンダリノードに送信して、前記セカンダリノードにＰＤＣＰデータ回復プロセスを実行するように通知する前に、
前記マスタノードは、マスタノード内のプライマリセルハンドオーバー（ｉｎｔｒａ−ＭＮ ｈａｎｄｏｖｅｒ）プロセスまたは無線アクセスネットワークのセントラルユニット内のプライマリセルハンドオーバー（ｉｎｔｒａ−ＣＵ ｈａｎｄｏｖｅｒ）プロセスをトリガし、前記マスタノードは、セカンダリノードを維持し、セキュリティキーの更新なしで維持することを決定することを特徴とする請求項１に記載のパケットデータ収束プロトコル（ＰＤＣＰ）データ回復の実行を通知する方法。
【請求項３】
前記ノード間シグナリングメッセージは指示情報を運び、前記指示情報は、Ｘ２/Ｘｎ ＡＰメッセージのコーディングフォーマットでコーディングされるか、または、無線リソース制御（ＲＲＣ）メッセージのコーディングフォーマットでコーディングされ、前記指示情報は、前記セカンダリノードに前記ＰＤＣＰデータ回復プロセスを実行するように指示するために使用され、
前記マスタノードは、前記ノード間シグナリングメッセージの新しく定義された第１のフィールドにより指示情報を運び、前記指示情報は、前記セカンダリノードにＰＤＣＰデータ回復プロセスを実行するように指示するために使用され、前記第１のフィールドはオプション属性または必須属性フィールドであり、または、
前記マスタノードは、前記ノード間シグナリングメッセージの第２のフィールドを再利用することにより、前記指示情報を運び、前記第２のフィールドは少なくとも２つのコーディング形式を含み、異なるコーディング形式は異なる情報を運ぶために使用され、前記少なくとも２つのコーディング形式の１つは指示情報を運ぶために使用され、前記マスタノードおよび前記セカンダリノードがそれぞれマルチＲＡＴ二重接続ＭＲ−ＤＣシナリオでのマスタノードおよびセカンダリノードである場合、前記ノード間シグナリングメッセージは、前記マスタノードによって開始されたセカンダリノード修正プロセスにおけるセカンダリノード修正要求メッセージであり、
前記第２のフィールドは、セキュリティキーを更新するように前記セカンダリノードに通知するためのＰＤＣＰ変更指示情報（ＰＤＣＰ ｃｈａｎｇｅ ｉｎｄｉｃａｔｉｏｎ）を再利用し、前記ＰＤＣＰ ｃｈａｎｇｅ ｉｎｄｉｃａｔｉｏｎは、前記セカンダリノードにＰＤＣＰデータ回復を実行するように指示するときのコーディング形式は、前記セカンダリノードにセキュリティキーを更新するように指示するときのＰＤＣＰ変更指示のコーディング形式とは異なることを特徴とする請求項１に記載のパケットデータ収束プロトコル（ＰＤＣＰ）データ回復の実行を通知する方法。
【請求項４】
前記ノード間シグナリングメッセージは、同期再構成要求を含むメッセージであり、前記セカンダリノードは、前記同期再構成要求に従って前記ＰＤＣＰデータ回復プロセスを実行するかどうかを決定し、前記同期再構成要求が更新されたセキュリティキーを運ばない場合、または、セキュリティキーを更新するように前記セカンダリノードに指示する情報を運ばない場合、前記セカンダリノードは、前記ＰＤＣＰデータ回復プロセスを実行することを決定し、
および/または、
前記ノード間シグナリングメッセージは、前記ＰＤＣＰデータ回復プロセスに対応する下位層同期再構成プロセスを実行するように前記セカンダリノードに指示するためにさらに使用され、前記下位層同期再構成プロセスは、無線リンク制御ＲＬＣエンティティ再確立プロセス、メディアアクセス制御（ＭＡＣ）エンティティ再構成プロセスおよびランダムアクセスプロセスのうちの１つ及び複数を含むことを特徴とする請求項１に記載のパケットデータ収束プロトコル（ＰＤＣＰ）データ回復の実行を通知する方法。
【請求項５】
セカンダリノードは、マスタノードによって送信されたノード間シグナリングメッセージを受信し、前記ノード間シグナリングメッセージは、前記セカンダリノードにＰＤＣＰデータ回復プロセスを実行するように指示するステップと、
前記セカンダリノードは、前記ノード間シグナリングメッセージに従って前記ＰＤＣＰデータ回復プロセスを実行するステップとを備えることを特徴とするパケットデータ収束プロトコル（ＰＤＣＰ）データ回復を実行する方法。
【請求項６】
前記ノード間シグナリングメッセージは、新しく定義された第１のフィールドにより指示情報を運び、前記指示情報は、前記セカンダリノードにＰＤＣＰデータ回復プロセスを実行するように指示するために使用され、前記第１のフィールドはオプション属性または必須属性フィールドであり、または、
前記ノード間シグナリングメッセージは、再利用された第２のフィールドにより前記指示情報を運び、前記第２のフィールドは少なくとも２つのコーディング形式を含み、異なるコーディング形式は異なる情報を運ぶために使用され、前記少なくとも２つのコーディング形式の１つは指示情報を運ぶために使用され、
前記セカンダリノードは、前記ノード間シグナリングメッセージに従って前記ＰＤＣＰデータ回復プロセスを実行する前に、
前記セカンダリノードは、前記第１のフィールドに前記セカンダリノードに前記ＰＤＣＰデータ回復プロセスを実行するように指示するための有効な値があるかを決定し、または、
前記セカンダリノードは、前記第２のフィールドに前記セカンダリノードに前記ＰＤＣＰデータ回復プロセスを実行するように指示するための有効な値があるかを決定し、
決定結果が「はい」の場合、前記セカンダリノードは、前記ＰＤＣＰデータ回復プロセスを実行すると決定し、
前記第２のフィールドがセキュリティキーを更新するように前記セカンダリノードに通知するためのＰＤＣＰ ｃｈａｎｇｅ ｉｎｄｉｃａｔｉｏｎを再利用し、前記ＰＤＣＰ ｃｈａｎｇｅ ｉｎｄｉｃａｔｉｏｎは、前記セカンダリノードにＰＤＣＰデータ回復プロセスを実行するように指示するときのコーディング形式は、前記セカンダリノードにセキュリティキーを更新するように指示するときのコーディング形式とは異なる場合、
前記セカンダリノードは、前記ＰＤＣＰ ｃｈａｎｇｅ ｉｎｄｉｃａｔｉｏｎに前記セカンダリノードに前記ＰＤＣＰデータ回復プロセスを実行するように指示するための有効な値があると決定する場合、前記セカンダリノードは、前記ＰＤＣＰデータ回復プロセスを実行すると決定し、または、
前記セカンダリノードは、前記ＰＤＣＰ ｃｈａｎｇｅ ｉｎｄｉｃａｔｉｏｎに前記セカンダリノードにセキュリティキー更新プロセスを実行するように指示するための有効な値があると決定する場合、前記セカンダリノードは、前記セキュリティキー更新プロセスを実行することを決定することを特徴とする請求項５に記載のパケットデータ収束プロトコル（ＰＤＣＰ）データ回復を実行する方法。
【請求項７】
前記ノード間シグナリングメッセージは、同期再構成要求を含むメッセージであると、
前記セカンダリノードは、前記同期再構成要求に従って、前記ＰＤＣＰデータ回復プロセスを実行するかどうかを決定し、前記同期再構成要求が更新されたセキュリティキーを運ばない場合、または、セキュリティキーを更新するように前記セカンダリノードに指示する情報を運ばない場合、前記セカンダリノードは、前記ＰＤＣＰデータ回復プロセスを実行することを決定し、
決定結果が「はい」であれば、前記セカンダリノードは、前記ＰＤＣＰデータ回復プロセスを実行すると決定し、
前記ノード間シグナリングメッセージは、前記ＰＤＣＰデータ回復プロセスを実行するに対応する下位層同期再構成プロセスを実行するように前記セカンダリノードに指示するためにさらに使用されると、
前記セカンダリノードは、前記ノード間シグナリングメッセージに従って前記下位層同期再構成プロセスを実行することを決定し、前記下位層同期再構成プロセスは、ＲＬＣエンティティ再確立プロセス、ＭＡＣエンティティ再構成プロセスおよびランダムアクセスプロセスのうちの１つまたは複数を含むことを特徴とする請求項５に記載のパケットデータ収束プロトコル（ＰＤＣＰ）データ回復を実行する方法。
【請求項８】
基地局であって、
前記基地局は、二重接続およびマルチ接続通信システムでのマスタノードであり、
前記マスタノードとセカンダリノード間のノード間シグナリングメッセージを前記セカンダリノードに送信して、前記セカンダリノードにＰＤＣＰデータ回復プロセスを実行するように通知するように構成された送信ユニットを備え、
前記ノード間シグナリングメッセージは、前記セカンダリノードにＰＤＣＰデータ回復プロセスを実行するように指示することを特徴とする基地局。
【請求項９】
マスタノード内のプライマリセルハンドオーバー（ｉｎｔｒａ−ＭＮ ｈａｎｄｏｖｅｒ）プロセスまたは無線アクセスネットワークのセントラルユニット内のプライマリセルハンドオーバー（ｉｎｔｒａ−ＣＵ ｈａｎｄｏｖｅｒ）プロセスをトリガし、セカンダリノードを維持し、セキュリティキーの更新なしに決定するように構成された決定ユニットをさらに備えることを特徴とする請求項８に記載の基地局。
【請求項１０】
ノード間シグナリングメッセージは指示情報を運び、指示情報は、Ｘ２/Ｘｎ ＡＰメッセージのコーディングフォーマットでコーディングされるか、または、ＲＲＣメッセージのコーディングフォーマットでコーディングされ、ここで、指示情報は、セカンダリノードにＰＤＣＰデータ回復プロセスを実行するように指示するために使用されることを特徴とする請求項８に記載の基地局。
【請求項１１】
オプションとして、マスタノードノード間シグナリングメッセージの新しく定義された第１のフィールドを介して指示情報を伝送する。指示情報は、セカンダリノードにＰＤＣＰデータ回復プロセスを実行するように指示するために使用される。ここで、第１のフィールドはオプション属性または必須属性フィールドであり、または、
マスタノードノード間シグナリングメッセージの第２のフィールドを再利用することにより、指示情報を伝送する。ここで、第２のフィールは少なくとも２つのコーディング形式を含み、異なるコーディング形式は異なる情報を運ぶために使用され、少なくとも２つのコーディング形式の１つコーディング形式は、指示情報を運ぶために使用され、
マスタノードおよびセカンダリノードがそれぞれＭＲ−ＤＣシナリオにおけるマスタノードおよびセカンダリノードである場合、ノード間シグナリングメッセージは、マスタノードによって開始されたセカンダリノード修正プロセスにおけるセカンダリノード修正要求メッセージであり、
第２のフィールドは、セキュリティキーを更新するようにＳＮに通知するために、ＰＤＣＰ変更指示を再利用する。ここで、ＳＮにＰＤＣＰデータ回復を実行するように指示するときのＰＤＣＰ変更指示のコーディング形式は、ＳＮにセキュリティキーを更新するように指示するときのコーディング形式とは異なることを特徴とする請求項８に記載の基地局。
【請求項１２】
ノード間シグナリングメッセージは、同期再構成要求を含むメッセージであり、セカンダリノードは、同期再構成要求に従ってＰＤＣＰデータ回復プロセスを実行するかどうかを決定し、ここで、同期再構成要求が更新されたセキュリティキーまたはＳＮにセキュリティキーを更新するように指示する情報を含まない場合、ＳＮはＰＤＣＰデータ回復プロセスを実行することを決定し、
および/または、
ノード間シグナリングメッセージは、ＰＤＣＰデータ回復プロセスに対応する下位層同期再構成プロセスを実行するようにＳＮに指示すためにさらに使用され、ここで、下位層同期再構成プロセスは、ＲＬＣエンティティ再確立プロセス、ＭＡＣエンティティ再構成プロセスおよびランダムアクセスプロセスのうちの１つまたは複数を含むことを特徴とする請求項８に記載の基地局。
【請求項１３】
基地局であって、
前記基地局は、二重接続およびマルチ接続通信システムでのセカンダリノードであり、
マスタノードによって送信されたノード間シグナリングメッセージを受信するように構成された受信ユニットと、
前記ノード間シグナリングメッセージに従ってＰＤＣＰデータ回復プロセスを実行するように構成された実行ユニットとを備え、
前記ノード間シグナリングメッセージは、前記セカンダリノードにＰＤＣＰデータ回復プロセスを実行するように指示することを特徴とする基地局。
【請求項１４】
ノード間シグナリングメッセージは、新しく定義された第１のフィールドにより指示情報を運び、指示情報は、セカンダリノードにＰＤＣＰデータ回復プロセスを実行するように指示するために使用される。ここで、第１のフィールドはオプション属性または必須属性フィールドであり、または、
ノード間シグナリングメッセージは、再利用された第２のフィールドにより指示情報を運び、ここで、第２のフィールは少なくとも２つのコーディング形式を含み、異なるコーディング形式は異なる情報を運ぶために使用され、少なくとも２つのコーディング形式の１つコーディング形式は、指示情報を運ぶために使用され、
前記セカンダリノードは、第２の決定ユニットをさらに備え、
前記第２の決定ユニットは、第１のフィールドに、ＳＮにＰＤＣＰデータ回復プロセスを実行するように指示すための有効な値があるかどうかを判断し、または、ＰＤＣＰデータ回復プロセスを実行するようにＳＮに指示すための有効な値が第２のフィールドにあるかどうかを決定し、
前記第２の決定ユニットはさらに、決定結果が「はい」の場合、ＰＤＣＰデータリカバリプロセスを実行すると決定することを特徴とする請求項１３に記載の基地局。
【請求項１５】
第２のフィールドが、セキュリティキーを更新するようにＳＮに通知するためにＰＤＣＰ変更指示を再利用する場合、ＰＤＣＰデータ回復を実行するようにＳＮに指示するときのＰＤＣＰ変更指示のコーディング形式は、セキュリティキーを更新するようにＳＮに指示するときのコーディング形式とは異なり、
第２の決定ユニットはさらに、ＰＤＣＰ変更指示が、ＳＮにＰＤＣＰデータ回復プロセスを実行するように命令するための有効な値を有すると決定された場合、ＰＤＣＰデータリカバリプロセスを実行すると決定し、または、ＰＤＣＰ変更指示がＳＮにセキュリティキー更新プロセスを実行するように命令するための有効な値を有すると決定された場合、セキュリティキー更新プロセスを実行すると決定し、
前記セカンダリノードは、第３の決定ユニットをさらに備え、
第３の決定ユニットは、同期再構成要求に従ってＰＤＣＰデータ回復プロセスを実行するかどうかを決定するように構成され、同期再構成要求が更新されたセキュリティキーまたはＳＮにセキュリティキーを更新するように指示す情報を運ばない場合、第３の決定ユニットは、ＰＤＣＰデータ回復プロセスを実行することを決定し、
または、
前記セカンダリノードは、第４の決定ユニットをさらに備え、
第４の決定ユニットは、ノード間シグナリングメッセージに従って下位層同期再構成プロセスを実行することを決定するように構成される。ここで、下位層同期再構成プロセスは、ＲＬＣエンティティ再確立プロセス、ＭＡＣエンティティ再構成プロセスおよびランダムアクセスプロセスのうちの１つまたは複数を含むことを特徴とする請求項１３に記載の基地局。
【国際調査報告】
2021508983.tif 000008
2021508983.tif 000009
2021508983.tif 000010
2021508983.tif 000011